(57)【要約】水溶性フィルムと、少なくとも１つの区画内に、この水溶性フィルムによって少なくとも部分的に密閉された組成物と、を含むパウチであって、水溶性フィルムは、ポリビニルアルコール（ＰＶＯＨ）樹脂ブレンドを含む。
2019513643.tif 000002
【特許請求の範囲】
【請求項１】
水溶性フィルムと、少なくとも１つの区画内に、該水溶性フィルムによって少なくとも部分的に密閉された家庭用ケア組成物と、を含む、パウチであって、
前記水溶性フィルムが、
カルボキシル化アニオン性モノマー単位、ビニルアルコールモノマー単位、及び任意にビニルアセテートモノマー単位を含む、第１のＰＶＯＨポリマーであって、
前記カルボキシル化アニオン性モノマー単位は、前記第１のＰＶＯＨポリマー中に３モル％〜６モル％の量で存在し、
前記カルボキシル化アニオン性モノマー単位は、マレイン酸、マレイン酸モノアルキル、マレイン酸ジアルキル、無水マレイン酸、及びこれらの組み合わせからなる群から選択されるメンバーに由来する、第１のＰＶＯＨポリマーと、
ビニルアルコールモノマー単位、及び任意にビニルアセテートモノマー単位から本質的になる、第２のＰＶＯＨポリマーと、を含む、ポリビニルアルコール（ＰＶＯＨ）樹脂ブレンドを含み、
前記第１のＰＶＯＨポリマーが、前記フィルム中の総ＰＶＯＨポリマーの１０重量％〜５０重量％の範囲の量で存在する、パウチ。
【請求項２】
前記ＰＶＯＨ樹脂ブレンドが、前記水溶性フィルム中に該フィルムの５０重量％〜９５重量％、又は５０重量％〜８０重量％、より好ましくは６０重量％〜７５重量％の範囲の量で存在する、請求項１に記載のパウチ。
【請求項３】
前記カルボキシル化アニオン性モノマー単位が、マレイン酸モノメチル、その塩、好ましくはそのアルカリ金属塩、及びこれらの組み合わせからなる群から選択されるマレイン酸モノアルキル単位に由来する、請求項１又は２に記載のパウチ。
【請求項４】
前記カルボキシル化アニオン性モノマー単位が、前記第１のＰＶＯＨポリマー中に３モル％〜５モル％、又は３．５モル％〜４．５モル％、又は４モル％〜４．５モル％の量で存在する、請求項１〜３のいずれか一項に記載のパウチ。
【請求項５】
前記カルボキシル化アニオン性モノマーが、前記フィルム中の総ＰＶＯＨポリマーの０．５モル％〜３モル％の範囲の量で存在する、請求項１〜４のいずれか一項に記載のパウチ。
【請求項６】
前記第１のＰＶＯＨポリマーが、前記フィルム中の総ＰＶＯＨポリマーの２０重量％〜５０重量％、より好ましくは３０重量％〜４０重量％の範囲の量で存在する、請求項１〜５のいずれか一項に記載のパウチ。
【請求項７】
前記第１のＰＶＯＨポリマーが、１０ｃＰ〜４０ｃＰ、又は１０ｃＰ〜３０ｃＰ、又は１２ｃＰ〜２５ｃＰ、又は１４ｃＰ〜２０ｃＰの２０℃での４％溶液粘度（μ１）を特徴とする、請求項１〜６のいずれか一項に記載のパウチ。
【請求項８】
前記第１のＰＶＯＨポリマーが、６０％〜９９％、好ましくは８０％〜９８％、好ましくは８３％〜９５％、好ましくは８５％〜９２％の加水分解度を特徴とする、請求項１〜７のいずれか一項に記載のパウチ。
【請求項９】
前記第２のＰＶＯＨポリマーが、６０％〜９９％、好ましくは８０％〜９８％、好ましくは８５％〜９５％、好ましくは８７％〜９２％の加水分解度を特徴とする、請求項１〜８のいずれか一項に記載のパウチ。
【請求項１０】
前記第２のＰＶＯＨポリマーが、３．０ｃＰ〜３０ｃＰ、又は７ｃＰ〜３０ｃＰ、又は１０ｃＰ〜３０ｃＰ、又は１２ｃＰ〜２５ｃＰの２０℃での４％溶液粘度（μ２）を特徴とする、請求項１〜９のいずれか一項に記載のパウチ。
【請求項１１】
前記第１のＰＶＯＨポリマーが、２０℃での４％溶液粘度（μ１）を特徴とし、前記第１のＰＶＯＨポリマーと前記第２のＰＶＯＨポリマーとの絶対粘度の差｜μ２−μ１｜が、０ｃＰ〜１０ｃＰの範囲である、請求項１〜１０のいずれか一項に記載のパウチ。
【請求項１２】
前記第２のＰＶＯＨポリマーが、前記フィルム中の総ＰＶＯＨポリマーの５０重量％〜９０重量％、又は５０重量％〜８０重量％、又は６０重量％〜７０重量％の範囲の量で存在する、請求項１〜１１のいずれか一項に記載のパウチ。
【請求項１３】
前記ＰＶＯＨ樹脂ブレンドが、第３のＰＶＯＨポリマーを含む、請求項１〜１２のいずれか一項に記載のパウチ。
【請求項１４】
前記水溶性フィルムが、ＰＶＯＨポリマー以外の少なくとも第３の水溶性ポリマーを更に含み、好ましくは、前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、変性デンプン、グアーガム、アラビアゴム、キサンタンガム、カラギーナン、ポリアクリレート、並びにこれらの塩、これらのコポリマー、これらのブレンド、及びこれらの組み合わせからなる群から選択される、請求項１〜１３のいずれか一項に記載のパウチ。
【請求項１５】
前記水溶性フィルムが、可塑剤、可塑剤相溶剤、潤滑剤、離型剤、充填剤、増量剤、架橋剤、ブロッキング防止剤、酸化防止剤、粘着性除去剤、消泡剤、ナノ粒子、漂白剤、嫌悪剤、界面活性剤、及びこれらの組み合わせからなる群から選択される１つ以上の成分を更に含む、請求項１〜１４のいずれか一項に記載のパウチ。
【請求項１６】
前記フィルムの変形されていない厚さが、５〜２００μｍ、又は２０〜１００μｍ、又は４０〜８５μｍ、又は７６μｍである、請求項１〜１５のいずれか一項に記載のパウチ。
【請求項１７】
前記パウチが、少なくとも２つの区画、又は少なくとも３つの区画を更に含み、好ましくは、第２の区画が、第１の区画の上に重ねられている、請求項１〜１６のいずれか一項に記載のパウチ。
【請求項１８】
前記家庭用ケア組成物が、軽質液体洗剤組成物、重質液体洗剤組成物、硬質表面洗浄用組成物、洗濯洗剤ジェル、漂白組成物、洗濯添加剤、布地柔軟剤組成物、シャンプー、ボディソープ、他のパーソナルケア組成物、及びこれらの混合物からなる群から選択される、請求項１〜１７のいずれか一項に記載のパウチ。
【発明の詳細な説明】
【技術分野】
【０００１】
本開示は、水溶性フィルムと、少なくとも１つの区画内に、この水溶性フィルムによって少なくとも部分的に密閉された組成物と、を含むパウチに関し、水溶性フィルムは、ポリビニルアルコール（ＰＶＯＨ）樹脂ブレンドを含む。本開示は更に、このパウチの製造方法及び使用方法にも関する。
【背景技術】
【０００２】
送達される材料の分散、注入、溶解、及び投入を簡素化するために、水溶性のポリマーフィルムが包装材料として広く使用されている。例えば、水溶性フィルムから製造されたパケットは一般に、家庭用ケア組成物、例えば、洗濯洗剤又は食器用洗剤を収容するパウチを包装するために使用される。消費者は、バケツ、流し又は洗濯機などの混合容器にパウチを直接加えることができる。有利には、これにより、正確な用量が提供されると同時に、消費者が組成物を測定する必要性が排除される。パウチはまた、例えば、ボトルから液体洗濯洗剤を注ぐといったような、容器から同様の組成物を分配するのに付き物である厄介さを低減することができる。パウチはまた、その中の組成物がユーザーの手と接触するのを隔離する。要約して言えば、予め計量された剤を収容する可溶性高分子フィルムのパケットは、種々の用途における消費者の使用利便性を提供する。
【０００３】
パウチを製造するために使用される一部の水溶性ポリマーフィルムは、洗浄サイクルの間の溶解が不完全であり、洗浄液中の品物の上にフィルム残留物が残ることがある。このような問題は、パウチを冷水中（例えば、５℃、及び／又は最大１０℃若しくは１５℃ぐらいの低温の水）で、短い洗浄サイクルで、及び／又は低水位洗浄サイクル（例えば、約３Ｌ〜約２０Ｌの洗浄液）で、使用する場合などの、ストレスのかかった洗浄条件下でパウチが使用される場合に、特に発生する可能性がある。とりわけ、環境問題及びエネルギーコストによって、消費者はより低温の洗浄水及びより短い洗浄サイクルの使用を望むようになっている。
【０００４】
更に、パウチは、製造直後及び貯蔵後の両方で、包装、輸送、貯蔵、及び使用中に加えられ得る力に耐えるために、適切な強度を有していなければならない。適切な強度は、パウチが、洗濯洗剤などの液体組成物をカプセル化し、意図しない破裂及び／又は漏れを回避するために特に好適であり得る。
【発明の概要】
【発明が解決しようとする課題】
【０００５】
良好な水溶性（例えば、冷水溶性）、好適なパウチ強度、耐化学性、そこから形成されたフィルム若しくはパウチと接触する洗濯用活性成分若しくは他の組成物との化学的及び物理的適合性、並びに／又は熱成形時及び／若しくは適切な封止時の変形性などの所望の機械的特性の所望の特性を有する、水溶性フィルム及びパウチなどの関連する物品が必要とされている。
【課題を解決するための手段】
【０００６】
本開示は、水溶性フィルムと、この水溶性フィルムによって少なくとも部分的に密閉された組成物と、を含むパウチに関する。水溶性フィルムは、本明細書に記載されるように、好ましいポリビニルアルコール（ＰＶＯＨ）樹脂ブレンドを含む。本開示はまた、このパウチの製造方法及び使用方法にも関する。
【図面の簡単な説明】
【０００７】
本明細書の図面は、事実上例示的なものであり、制限的であることを意図したものではない。
【図１】パウチの側断面図である。
【図２】多区画パウチである。
【図３】パウチ強度試験方法に使用する装置の一部の略図である。
【発明を実施するための形態】
【０００８】
本開示は、水溶性フィルムから製造されたパウチに関し、この水溶性フィルムは、少なくとも一つの区画内に、組成物を少なくとも部分的に密閉し、このフィルムは、ＰＶＯＨ樹脂ブレンドを含む。
【０００９】
本開示の具体的に想到される例は、下記の番号付きパラグラフに記載されている。これらの例は、事実上例示的なものであり、制限的であることを意図したものではない。
１．水溶性フィルムと、少なくとも１つの区画内に、この水溶性フィルムによって少なくとも部分的に密閉された家庭用ケア組成物と、を含む、パウチであって、この水溶性フィルムは、カルボキシル化アニオン性モノマー単位、ビニルアルコールモノマー単位、及び任意にビニルアセテートモノマー単位を含む、第１のＰＶＯＨポリマーを含む、ポリビニルアルコール（ＰＶＯＨ）樹脂ブレンドを含み、カルボキシル化アニオン性モノマー単位は、第１のＰＶＯＨポリマー中に約３モル％〜約６モル％の量で存在し、第２のＰＶＯＨポリマーは、ビニルアルコールモノマー単位及び任意にビニルアセテートモノマー単位から本質的になり、第１のＰＶＯＨポリマーは、フィルム中の総ＰＶＯＨポリマーの約１０重量％〜約７０重量％の範囲の量で存在する、パウチ。
２．ＰＶＯＨ樹脂ブレンドが、水溶性フィルム中にフィルムの約５０重量％〜約９５重量％、又は約５０％〜約８０％、より好ましくは約６０％〜約７５％の範囲の量で存在する、パラグラフ１に記載のパウチ。
３．カルボキシル化アニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、上記のアルカリ金属塩、上記のエステル、及びこれらの組み合わせからなる群から選択されるメンバーに由来する、パラグラフ１又は２に記載のパウチ。
４．カルボキシル化アニオン性モノマー単位が、マレイン酸、マレイン酸モノアルキル、マレイン酸ジアルキル、無水マレイン酸、及びこれらの組み合わせから選択されるメンバーに由来する、パラグラフ１〜３のいずれか１つのパラグラフに記載のパウチ。
５．カルボキシル化アニオン性モノマー単位が、マレイン酸モノメチル、その塩、好ましくはそのアルカリ金属塩、及びこれらの組み合わせからなる群から選択されるマレイン酸モノアルキル単位に由来する、パラグラフ１〜４のいずれか１つのパラグラフに記載のパウチ。
６．カルボキシル化アニオン性モノマー単位が、第１のＰＶＯＨポリマー中に約３モル％〜約５モル％、又は約３．５モル％〜約４．５モル％、又は約４モル％〜約４．５モル％の量で存在する、パラグラフ１〜５のいずれか１つのパラグラフに記載のパウチ。
７．カルボキシル化アニオン性モノマー単位が、フィルム中の総ＰＶＯＨポリマーの約０．５モル％〜約３モル％の範囲の量で存在する、パラグラフ１〜６のいずれか１つのパラグラフに記載のパウチ。
８．第１のＰＶＯＨポリマーが、フィルム中の総ＰＶＯＨポリマーの約１０重量％〜約６０重量％、好ましくは約２０重量％〜約５０重量％、より好ましくは約３０重量％〜約４０重量％の範囲の量で存在する、パラグラフ１〜７のいずれか１つのパラグラフに記載のパウチ。
９．第１のＰＶＯＨポリマーが、約１０ｃＰ〜約４０ｃＰ、又は約１０ｃＰ〜約３０ｃＰ、又は約１２ｃＰ〜約２５ｃＰ、又は約１４ｃＰ〜約２０ｃＰの２０℃での４％溶液粘度（μ１）を特徴とする、パラグラフ１〜８のいずれか１つのパラグラフに記載のパウチ。
１０．第１のＰＶＯＨポリマーが、６０％〜約９９％、好ましくは約８０％〜約９８％、好ましくは約８３％〜約９５％、好ましくは約８５％〜約９２％の加水分解度を特徴とする、パラグラフ１〜９のいずれか１つのパラグラフに記載のパウチ。
１１．第２のＰＶＯＨポリマーが、６０％〜約９９％、好ましくは約８０％〜約９８％、好ましくは約８５％〜約９５％、好ましくは約８７％〜約９２％の加水分解度を特徴とする、パラグラフ１〜１０のいずれか１つのパラグラフに記載のパウチ。
１２．第２のＰＶＯＨポリマーが、約約３．０ｃＰ〜約４０ｃＰ若しくは約３０ｃＰ、又は約７〜約４０ｃＰ若しくは約３０ｃＰ、１０ｃＰ〜約４０ｃＰ、又は約１０ｃＰ〜約３０ｃＰ、又は約１２ｃＰ〜約２５ｃＰの２０℃での４％溶液粘度（μ２）を特徴とする、パラグラフ１〜１１のいずれか１つのパラグラフに記載のパウチ。
１３．第１のＰＶＯＨポリマーが、２０℃での４％溶液粘度（μ１）を特徴とし、第１のＰＶＯＨポリマーと第２のＰＶＯＨポリマーとの絶対粘度の差｜μ２−μ１｜が、０ｃＰ〜約１０ｃＰの範囲である、パラグラフ１〜１２のいずれか１つのパラグラフに記載のパウチ。
１４．第２のＰＶＯＨポリマーが、フィルム中の総ＰＶＯＨポリマーの約３０重量％〜約９０重量％、又は約４０重量％〜約９０重量％、又は約５０重量％〜約９０重量％、又は約５０重量％〜約８０重量％、又は約６０重量％〜約７０重量％の範囲の量で存在する、パラグラフ１〜１３のいずれか１つのパラグラフに記載のパウチ。
１５．ＰＶＯＨ樹脂ブレンドが、第３のＰＶＯＨポリマーを含む、パラグラフ１〜１４のいずれか１つのパラグラフに記載のパウチ。
１６．水溶性フィルムが、ＰＶＯＨポリマー以外の少なくとも第３の水溶性ポリマーを更に含む、パラグラフ１〜１５のいずれか１つのパラグラフに記載のパウチ。
１７．第３の水溶性ポリマーが、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、変性デンプン、グアーガム、アラビアゴム、キサンタンガム、カラギーナン、ポリアクリレート、並びにこれらの塩、これらのコポリマー、これらのブレンド、及びこれらの組み合わせからなる群から選択される、パラグラフ１〜１６のいずれか１つのパラグラフに記載のパウチ。
１８．水溶性フィルムが、可塑剤、可塑剤相溶剤、潤滑剤、離型剤、充填剤、増量剤、架橋剤、ブロッキング防止剤、酸化防止剤、粘着性除去剤、消泡剤、ナノ粒子、漂白剤、界面活性剤、及びこれらの組み合わせからなる群から選択される１つ以上の成分を更に含む、パラグラフ１〜１７のいずれか１つのパラグラフに記載のパウチ。
１９．水溶性フィルムが、１つ以上の可塑剤をフィルムの約１重量％〜約４０重量％の範囲の量で更に含む、パラグラフ１〜１８のいずれか１つのパラグラフに記載のパウチ。
２０．フィルムが、嫌悪剤、好ましくは苦味剤、より好ましくは安息香酸デナトニウム、及び／又はその誘導体を含む、パラグラフ１〜１９のいずれか１つのパラグラフに記載のパウチ。
２１．フィルムの変形されていない厚さが、約５〜約２００μｍ、又は約２０〜約１００μｍ、又は約４０〜約８５μｍ、又は約７６μｍである、パラグラフ１〜２０のいずれか１つのパラグラフに記載のパウチ。
２２．パウチが、少なくとも２つの区画、又は少なくとも３つの区画を更に含む、パラグラフ１〜２１のいずれか１つのパラグラフに記載のパウチ。
２３．第２の区画が、第１の区画の上に重ねられている、パラグラフ１〜２２のいずれか１つのパラグラフに記載のパウチ。
２４．家庭用ケア組成物が、軽質液体洗剤組成物、重質液体洗剤組成物、硬質表面洗浄用組成物、洗濯洗剤ジェル、漂白組成物、洗濯添加剤、布地柔軟剤組成物、シャンプー、ボディソープ、他のパーソナルケア組成物、及びこれらの混合物からなる群から選択される、パラグラフ１〜２３のいずれか１つのパラグラフに記載のパウチ。
２５．組成物が液体の形態である、パラグラフ１〜２４のいずれか１つのパラグラフに記載のパウチ。
２６．水溶性フィルムと、少なくとも１つの区画内に、この水溶性フィルムによって少なくとも部分的に密閉された家庭用ケア組成物と、を含む、パウチであって、この水溶性フィルムは、カルボキシル化アニオン性モノマー単位、ビニルアルコールモノマー単位、及び任意にビニルアセテートモノマー単位を含む、第１のＰＶＯＨポリマーを含む、ポリビニルアルコール（ＰＶＯＨ）樹脂ブレンドを含み、第１のＰＶＯＨポリマーは、フィルム中の総ＰＶＯＨポリマーの約１０重量％〜約５０重量％の範囲の量で存在し、カルボキシル化アニオン性モノマー単位は、フィルム中の総ＰＶＯＨポリマーの約０．５モル％〜約３モル％の範囲の量で存在し、第２のＰＶＯＨポリマーは、ビニルアルコールモノマー単位及び任意にビニルアセテートモノマー単位から本質的になる、パウチ。
２７．カルボキシル化アニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、上記のアルカリ金属塩、上記のエステル、及びこれらの組み合わせからなる群から選択されるメンバーに由来する、パラグラフ２６に記載のパウチ。
２９．組成物が液体である、パラグラフ２６〜２８のいずれか１つのパラグラフに記載のパウチ。
３０．家庭用ケア組成物が、軽質液体洗剤組成物、重質液体洗剤組成物、硬質表面洗浄用組成物、洗濯で一般に使用される洗濯洗剤ジェル、漂白組成物、洗濯添加剤、布地柔軟剤組成物、シャンプー、ボディソープ、他のパーソナルケア組成物、及びこれらの混合物からなる群から選択される、パラグラフ２６〜２９のいずれか１つのパラグラフに記載のパウチ。
３１．水溶性フィルムを提供することと、フィルムを成形し開放区画を形成することと、開放区画へ組成物を提供することと、任意に第２のフィルムで、開放区画を封止し、中に組成物が密閉された封止区画を有するパウチを形成することと、を含む、パラグラフ１〜３０のいずれか１つのパラグラフに記載のパウチの形成方法。
３２．本方法で形成されたパウチが、重ねられた区画を有する多区画パウチとなるように、開放区画を少なくとも第２の封止区画で封止する、パラグラフ３１に記載の方法。
３３．本方法が、水の存在下で、基材を、パラグラフ１〜３０のいずれか１つに記載のパウチの組成物と接触させることを含む、基材の処理方法。
３４．本方法が、パウチを水と組み合わせることと、パウチのフィルムの少なくとも一部が、水の存在下で溶解できるようにすることと、その中に収容される組成物を、水で３００〜８００倍に希釈し、洗浄液を形成することと、及び／又は基材、好ましくは布地を洗浄液と接触させることと、を含み、処理される基材、好ましくは布地が、１つ以上の染みを含んでもよい、パラグラフ３３に記載の方法。
３５．家庭用組成物を含むパウチを提供し、このパウチが、改善された冷水溶性を示す、パラグラフ１〜３３のいずれか１つのパラグラフに記載のフィルムの使用。
【００１０】
パウチ、フィルム、組成物、方法、及び使用は、以下により詳細に記載されている。
【００１１】
パウチなどの物品を製造するために使用される一部の水溶性ポリマーフィルム（例えば、その中に家庭用ケア組成物を収容することができる）は、洗濯関連組成物を収容するパケットの、通常の使用中、例えば洗濯洗浄サイクル中の、水への溶解が不完全である（例えば、それによって、洗浄液中の品物の上にフィルム残留物が残る）。
【００１２】
ＰＶＯＨをベースとする水溶性ポリマーフィルムは、溶解性の変化を受ける可能性がある。コポリ（ビニルアセテートビニルアルコール）ポリマー中のアセテート基は、当業者によって既知であり、酸又はアルカリ加水分解のいずれかで加水分解可能である。加水分解度が増加すると、ＰＶＯＨホモポリマー樹脂から製造されたポリマー組成物の機械的強度は増大するが、より低温での溶解性は低下する（例えば、完全に溶解するには、熱水温度が必要である）。これにより、アルカリ環境に（例えば、洗濯漂白添加剤から生じた）ＰＶＯＨホモポリマー樹脂を露出すると、所与の水性環境（例えば、冷水媒体）中で急速で完全に溶解する樹脂から、水性環境中でゆっくりと及び／又は不完全に溶解する樹脂に転換する場合があり、場合により、洗浄サイクルの最後に未溶解のポリマー残留物をもたらす。これは、商用のＰＶＯＨホモポリマー樹脂の特徴を示す、単にビニルアセテート／アセテートコポリマーをベースとするフィルムの適用における固有の欠点である。
【００１３】
ビニルアルコール／加水分解メチルアクリレートナトリウム塩樹脂などのペンダントカルボキシル基を備えたＰＶＯＨコポリマー樹脂は、隣接するペンダントカルボキシル基とアルコール基との間にラクトン環を形成する場合があり、これによりＰＶＯＨコポリマー樹脂の水溶性を低下し得る。洗濯漂白添加剤などの強塩基の存在下で、ラクトン環は比較的暖かい（周囲温度）及び高湿度の条件下で、数週間にわたって開環することができる（例えば、ラクトン環開環反応を介して、水溶性の高い対応するペンダントカルボキシル基とアルコール基とを形成する）。したがって、ＰＶＯＨホモポリマーフィルムで観察される効果とは反対に、保管中にフィルムとパウチ内のアルカリ組成物との間の化学的相互作用により、このようなＰＶＯＨコポリマーフィルムがより可溶性になり得ると考えられている。これにより、経年劣化するにつれて、パケットは、湿潤又は多湿保管条件中又は偶然の水への露出で、早期に溶解する傾向が高まる場合があり、漂白剤の存在と得られたｐＨの影響により、パウチの強度の低下及び／又は特定の洗濯活性成分の効果が低下し得る。あるいは、フィルムを、例えばｐＨ７〜８程度のほぼ中性のｐＨ配合物に接触させると、ラクトン環の量が増加する場合があり、場合によりパウチが比較的不溶性になる。
【００１４】
追加的に、熱成形における良好な変形性及び封止性を確保するのに十分な形成性を有するだけでなく、また良好なパウチ強度を確保するのに十分な結晶性を有するようにパウチ状に形成されることが、ＰＶＯＨ水溶性にとって望ましい。一見相反する特性の間のバランスが良好であることが望ましい。
【００１５】
本明細書に記載される問題のうち少なくとも一部又は全ては、慎重に選択されたＰＶＯＨ樹脂ブレンドを有するフィルムを含むパウチを提供することにより対処することができる。特に、アニオン性コポリマー中のアニオン性モノマー単位の同一性及び量、並びにフィルム中の総ＰＶＯＨ樹脂の重量に対するＰＶＯＨ樹脂ブレンド中のアニオン性コポリマーの総量の慎重な選択により、特に望ましい特性を有するフィルム及びパウチを提供することが見出された。
【００１６】
本開示は、以下により詳細に記載するように、ポリビニルアルコール（ＰＶＯＨ）樹脂ブレンド、及び任意に可塑剤、充填剤、界面活性剤、及びその他の添加剤などの１つ以上の追加の成分を含む水溶性フィルムを含むパウチに関する。パウチは、例えば家庭用ケア組成物などの組成物を収容することができる。本開示の組成物及びプロセスの構成要素は、以下により詳細に記載されている。
【００１７】
用語の定義
本明細書において使用する場合、特許請求の範囲で使用されるときの「ａ」及び「ａｎ」という冠詞は、特許請求又は記載されているもののうちの１つ又は２つ以上を意味すると理解される。本明細書において使用する場合、「含む（include）」、「含む（includes）」、及び「含んでいる（including）」という用語は、非限定的であることを意味する。本開示の組成物は、本開示の成分を含み、それらから本質的になり、又はそれらからなることができる。
【００１８】
本明細書では、用語「実質的に含まない（substantially free of）」又は「実質的に含まない（substantially free from）」が使用され得る。これは、指示される物質が最小限の量であり、組成物の一部を形成するように意図的に組成物に添加されない、又は、好ましくは、分析的に検出可能な濃度で存在しないことを意味する。それは、示された材料が意図的に含まれる他の材料の１つの中に不純物としてのみ存在する、組成物を含むことを意味する。示された材料は、もしある場合は、組成物の１重量％未満、又は０．１重量％未満、又は０．０１重量％未満、又は更には０重量％のレベルで存在してもよい。
【００１９】
本開示のパウチは、組成物、例えば、家庭用ケア組成物を収容してもよい。組成物は、液体、固体、又はこれらの組み合わせから選択することができる。本明細書において使用する場合、「液体」は、自由流動性液体、並びにペースト、ゲル、泡、及びムースを含む。液体の非限定的な例には、軽質及び重質液体洗剤組成物、布地柔軟剤、洗濯で一般に使用される洗剤ゲル、漂白剤及び洗濯添加剤が挙げられる。気体（例えば、懸濁気泡）又は固体（例えば、粒子）は、液体に含まれてもよい。本明細書において使用する場合、「固体」は、粉末、粒塊、及びこれらの混合物を含むが、これらに限定されない。固体の非限定的な例としては、顆粒、マイクロカプセル、ビーズ、ヌードル、及び真珠光沢ボールが挙げられる。固体組成物は、洗浄中の利点、前処理の利点、及び／又は審美的効果であるがこれらに限定されない技術的利点を提供することができる。
【００２０】
本明細書において使用する場合、「ホモポリマー」という用語は、一般に単一タイプのモノマー繰り返し単位を有するポリマー（例えば、単一モノマー繰り返し単位からなる、又は本質的になるポリマー鎖）を含む。特にＰＶＯＨの場合、「ホモポリマー」（又は「ＰＶＯＨホモポリマー」若しくは「ＰＶＯＨポリマー」）という用語は、加水分解度に応じて、ビニルアルコールモノマー単位及びビニルアセテートモノマー単位の分布を有するコポリマー（例えば、ビニルアルコールモノマー単位及びビニルアセテートモノマー単位からなる、又は本質的になるポリマー鎖）を更に含む。限定的な１００％加水分解の場合、ＰＶＯＨホモポリマーは、ビニルアルコール単位のみを有する真のホモポリマーを含むことができる。
【００２１】
本明細書において使用する場合、「コポリマー」という用語は、一般に２つ以上のタイプのモノマー繰り返し単位を有するポリマー（例えば、ランダムコポリマー、ブロックコポリマーなどであるかどうかに関わらず、２つ以上の異なるモノマー繰り返し単位からなる、又は本質的になるポリマー鎖）を含む。特にＰＶＯＨの場合、「コポリマー」（又は「ＰＶＯＨコポリマー」）という用語は、加水分解度に応じて、ビニルアルコールモノマー単位及びビニルアセテートモノマー単位の分布、並びに少なくとも１つの他のタイプのモノマー繰り返し単位を有するコポリマー（例えば、ビニルアルコールモノマー単位、ビニルアセテートモノマー単位、及び１つ以上の他のモノマー単位、例えばアニオン性モノマー単位からなる、又は本質的になるター−（又はそれ以上）ポリマー鎖）を更に含む。限定的な１００％加水分解の場合、ＰＶＯＨコポリマーは、ビニルアルコール単位及び１つ以上の他のモノマー単位を有するコポリマーを含み得るが、ビニルアセテート単位を含まない。
【００２２】
本明細書において使用する場合、特に指定のない限り、「重量％（ｗｔ．％及びｗｔ％）」という用語は、フィルム全体の「乾燥」（水以外）重量部（適用できる場合）又はパウチ内に密閉された全組成物の重量部（適用できる場合）中の特定された成分の組成物を指すことを意図している。本明細書において使用する場合、特に指定のない限り、「ｐｈｒ」という用語は、水溶性フィルム中の水溶性ポリマー（又は樹脂、ＰＶＯＨであるか否かを問わず）１００重量部当たりの特定された成分の組成物の部を指すことを意図している。
【００２３】
特に明記しない限り、成分又は組成物の濃度は全て、当該成分又は組成物の活性部分に関するものであり、かかる成分又は組成物の市販の供給源中に存在し得る不純物、例えば、残留溶剤又は副生成物は除外される。
【００２４】
本明細書における全ての温度は、特に断らない限り、摂氏（℃）を単位とする。特に規定がない限り、本明細書における全ての測定は、２０℃及び大気圧下で行う。
【００２５】
本開示において、全ての百分率は、特に記載のない限り、全組成物の重量を基準としている。別途記載のない限り、全ての比は重量比である。
【００２６】
本明細書の全体を通して記載される全ての最大数値限定は、それよりも小さい全ての数値限定を、かかるより小さい数値限定があたかも本明細書に明確に記載されているかのように含むものと理解すべきである。本明細書全体を通して与えられる全ての最小数値限定は、それよりも高い全ての数値限定を、かかるより高い数値限定があたかも本明細書に明示的に記載されているかのように含むことになる。本明細書全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００２７】
パウチ
本開示は、パウチに関する。パウチは、本明細書に記載される水溶性フィルムを含んでいてもよい。フィルムは、少なくとも部分的に又は完全に組成物を密閉できる区画へと成形してよい。
【００２８】
パウチは、典型的には少なくとも１つの封止区画を含む。パウチは、単一区画又は少なくとも２つの区画若しくは少なくとも３つの区画などの複数区画を含むことができる。
【００２９】
図１は、界面３０で封止された水溶性ポリマーフィルム１０、２０から形成した水溶性パウチ１００の物品を示す。フィルム１０、２０の一方又は両方は、本開示の第１のＰＶＯＨポリマーと第２のＰＶＯＨポリマーのＰＶＯＨ樹脂ブレンドを含む。フィルム１０、２０は、水性環境中に放出するための任意の所望の組成物５０を収容する内部パウチ容器容積４０を画定する。組成物５０は、特に限定されず、例えば以下に記載される様々な洗浄組成物のいずれかを含む。
【００３０】
多区画を含む実施例では、各区画は同じ及び／又は異なる組成物を収容することができる。また、組成物は、液体、固体、及びこれらの組み合わせ（例えば、液体中に懸濁した固体）などの任意の好適な形態を取ることができるが、これらに限定されない。パウチは、第１、第２、及び第３の区画を含むことができ、各区画はそれぞれ異なる第１、第２、及び第３の組成物を収容することができる。
【００３１】
多区画パウチの区画は、同じ又は異なる大きさ及び／又は容量であってもよい。本発明の多区画パウチの区画は、分離されていてもよく、又は任意の好適な様式で接合されてもよい。第２及び／若しくは第３の、並びに／又はそれに続く区画が、第１の区画に重ね合わせられてもよい。第３の区画が、第２の区画に重ね合わせられてもよく、次にこれが第１の区画上に挟み込む配置で重ね合わせられてもよい。あるいは、第２及び第３の区画が、第１の区画に重ね合わせられてもよい。しかしながら、第１、第２、及び任意に第３の、及びそれに続く区画を、隣り合わせたもの同士互いに接着できることも同様に予想される。区画を一続きにパックして、ミシン目線により各区画をそれぞれ分離されているようにしてもよい。それゆえ例えば、区画に含まれる組成物で布地を前処理又は後処理するために、各区画がエンドユーザにより一続きの残りの部分からそれぞれ切り離されてもよい。第１の区画は、例えば、タイヤとリム構成、又はパウチ内パウチ構成で、少なくとも第２の区画に取り囲まれていてもよい。
【００３２】
多区画パウチは、１つの大きい第１の区画と２つのより小さな区画とからなる３つの区画を含んでもよい。第２及び第３のより小さな区画は、第１のより大きな区画上に重ね合わせられる。区画の大きさ及び形状は、この配置を達成できるように選択される。区画の形状は同じでも異なっていてもよい。第２及び任意に第３の区画は、それぞれ第１の区画と比較して異なる形状及び外形を有してもよい。第２及び任意に第３の区画は、第１の区画上のデザイン中に配置されてもよい。例えば、この設計は、コンセプト又は取扱の説明に役立つように装飾的、教育的、例証的であってもよく、及び／又は製品の供給元を示すために使用されてもよい。第１の区画は、全周が封止された２つの大きな面を有する最大区画であってもよく、第２の区画は、それより小さく、第１の区画の１面の表面積の約７５％未満、又は約５０％未満を覆っている。第３の区画がある場合、前述の構造は同じであってもよいが、第２及び第３の区画は、第１の区画の１面の表面積の約６０％未満、又は約５０％未満、又は約４５％未満を覆っている。
【００３３】
図２は、水溶性フィルム５から形成した水溶性多区画パウチ１の物品を示す。パウチ１は、３つの区画を有し、２つのより小さな区画３、４は、１つのより大きな下部区画２の上に重ねられている。
【００３４】
本開示の物品、パウチ、及び／又はパケットは、１つ以上の異なるフィルムを含んでもよい。例えば、パウチが単区画を含む場合、パウチは、２つに折り畳んで端部を封止した１つの壁から製造されてもよく、又は別の方法としては、端部を共に封止した２つの壁から製造されてもよい。パウチが多区画を含む場合、パウチは、任意の所定のパケット区画が、単一のフィルム、又は異なる組成を有する複数のフィルムから製造された壁を含み得るように１つ以上のフィルムから製造されてもよい。多区画パウチは、上外壁、下外壁、及び仕切り壁の少なくとも３つの壁を備えることができる。上外壁及び下外壁は、一般に対向しており、パウチの外面を形成する。仕切り壁は、パウチの内部にあり、一般には対向する外壁に封止線に沿って固定されている。仕切り壁は、多区画パウチの内部を少なくとも第１の区画及び第２の区画に分離する。
【００３５】
パウチ及びパケットなどの物品は、任意の好適な装置及び方法を用いて製造されてもよい。例えば、単一区画パウチは、一般に当該技術分野において既知の垂直形式充填技術（vertical form filling technique）、水平形式充填技術（horizontal form filling technique）、又は回転ドラム充填技術（rotary drum filling technique）を用いて製造されてもよい。そのようなプロセスは、連続的又は断続的のいずれであってもよい。フィルムを湿らせて、及び／又は加熱して、その展性（malleability）を高めてもよい。また、本方法は、フィルムを好適な成形型の中に引き込むために真空の使用を伴ってもよい。フィルムを成形型に引き込む真空は、フィルムが表面の水平部にある時点で、約０．２〜約５秒、約０．３〜約３、又は約０．５〜約１．５秒の間適用され得る。この真空は、例えば、１ｋＰａ〜１００ｋＰａ（１０ｍｂａｒ〜１０００ｍｂａｒ）の範囲、又は１０ｋＰａ〜６０ｋＰａ（１００ｍｂａｒ〜６００ｍｂａｒ）の範囲の圧力を提供するようなものであり得る。
【００３６】
その中にパケットなどの物品が製造される成形型は、必要とされるパウチ寸法に応じた任意の形状、長さ、幅及び深さを有することができる。成形型はまた、望ましい場合、寸法及び形状が互いに異なっていてもよい。例えば、最終パウチの体積は、約５ｍＬ〜約３００ｍＬ、約１０〜１５０ｍＬ、又は約２０〜約１００ｍＬであってもよく、成形型の寸法はこれに従って調整される。
【００３７】
パウチは、第１及び第２の封止区画を含んでもよい。第２の封止区画及び第１の封止区画がパウチに内設された仕切り壁を共有するように、第２の区画は、第１の封止区画と概ね重ねられた関係にあってもよい。
【００３８】
パウチは、第１及び第２の区画を含んでよく、第３の封止区画を更に含んでもよい。第３の封止区画及び第１の封止区画がパウチに内設された仕切り壁を共有するように、第３の封止区画は、第１の封止区画と概ね重ねられた関係にある。
【００３９】
第１の組成物と第２の組成物は、次の組み合わせのうちの１つから選択してもよい。液体、液体；液体、粉末；粉末、粉末；及び粉末、液体。第１、第２、及び第３の組成物は、次の組み合わせのうちの１つから選択してもよい。固体、液体、液体；液体、液体、液体；液体、固体、液体；固体、固体、液体；固体、固体、固体。
【００４０】
単一の区画又は複数の封止区画が、組成物を収容してもよい。複数の区画が、それぞれ、同じ又は異なる組成物を収容してもよい。組成物は、液体、固体、又はこれらの組み合わせから選択された形態であってもよい。組成物は、液体、個体、粉末、ビーズ、又はこれらの混合物の形態であってもよい。
【００４１】
組成物は、例えば、軽質液体洗剤組成物、重質液体洗剤組成物、手洗い食器洗浄及び自動食器洗浄組成物を含む硬質表面洗浄用組成物、洗濯で一般に使用される洗剤ゲル、漂白組成物、洗濯添加剤、布地柔軟剤組成物、シャンプー、ボディソープ、他のパーソナルケア組成物、及びこれらの混合物からなる群から選択される家庭用ケア組成物などの家庭用ケア組成物であってもよい。
【００４２】
水溶性フィルム
本開示のパウチは、水溶性フィルムを含む。水溶性フィルムは、ポリビニルアルコール（ＰＶＯＨ）樹脂ブレンドを含む。ＰＶＯＨ樹脂ブレンドは、２つ以上のＰＶＯＨポリマー、好ましくは２つのＰＶＯＨポリマーを含む。フィルムの組成物については、以下により詳細に議論される。
【００４３】
ポリビニルアルコールポリマー
水溶性フィルムは、ポリビニルアルコール（ＰＶＯＨ）ポリマーを含む。より具体的には、本開示のフィルムは、ＰＶＯＨホモポリマー（例えば、実質的にビニルアルコール単位のみ、及び任意にビニルアセテートモノマー単位を含む）、及びＰＶＯＨコポリマー（例えば、ビニルアルコール及び任意にビニルアセテート単位に加え、１つ以上の他のモノマー単位を含む）を含む。
【００４４】
ＰＶＯＨは、一般にポリビニルアセテートのアルコール分解（通常、加水分解又はけん化と呼ばれる）により調製される合成樹脂である。実質上全てのアセテート基がアルコール基に変換された、完全に加水分解されたＰＶＯＨは、強力に水素結合された高結晶性ポリマーであり、約６０℃（約１４０°Ｆ）より高い熱水にのみ溶解する。ポリビニルアセテートの加水分解後に十分な数のアセテート基が残されている場合、すなわちＰＶＯＨポリマーが部分的に加水分解されている場合、ＰＶＯＨポリマーは、より弱く水素結合された低結晶性であり、一般に約１０℃（約５０°Ｆ）未満の冷水に溶解する。中位の冷水又は熱水溶性フィルムは、例えば、中位に部分的に加水分解されたＰＶＯＨ（例えば、約９４％〜約９８％の加水分解度）を含むことができ、温水にのみ容易に溶解する（例えば、約４０℃以上の温度にて急速に溶解する）。完全に又は部分的に加水分解されたＰＶＯＨタイプの両方は、一般にＰＶＯＨホモポリマーと呼ばれるが、部分的に加水分解されたタイプは、技術的にはビニルアルコール−ビニルアセテートコポリマーである。
【００４５】
本開示の水溶性フィルムに含まれているＰＶＯＨポリマーの加水分解度（ＤＨ）は、約７５％〜約９９％の範囲（例えば、約７９％〜約９２％、約８６．５％〜約８９％、又は約８８％、冷水溶性組成物などで、約９０％〜約９９％、約９２％〜約９９％、又は約９５％〜約９９％）であってもよい。加水分解度が低下するにつれて、樹脂から製造されたフィルムの機械的強度が低下するが、約２０℃未満の温度での溶解は速くなる。加水分解度が増加するにつれて、ポリマーから製造されたフィルムの機械的強度は増加しがちであり、熱成形性及び溶解は、特に洗浄温度が低いと減少しやすい。
【００４６】
ＰＶＯＨの加水分解度は、ポリマーの水溶性が温度に依存するように選択されてもよく、これによりポリマー、任意の相溶剤ポリマー、及び追加の成分から製造されたフィルムの溶解度にも影響を及ぼし得る。１つのオプションでは、フィルムは、冷水溶性である。１０℃未満の温度で水に可溶性である冷水溶性フィルムは、約７５％〜約９０％の範囲、又は約８０％〜約９０％の範囲、又は約８５％〜約９０％の範囲、又は約８７％〜約９０％の範囲の加水分解度を有するＰＶＯＨを含むことができる。別のオプションでは、フィルムは、熱水可溶性である。少なくとも約６０℃の温度で水に可溶性である熱水溶性フィルムは、少なくとも約９８％の加水分解度を有するＰＶＯＨを含むことができる。
【００４７】
水溶性ポリマー（例えば、ＰＶＯＨ樹脂ブレンドのみ、又は他の水溶性ポリマーと組み合わせて）は、約５０重量％、又は約６０重量％から、及び／又は約７０重量％、又は約８０重量％、又は約９０重量％、又は約９５％の範囲の量でフィルム中に含まれることができる。例えば、ＰＶＯＨ樹脂ブレンドは、水溶性フィルム中にフィルムの約５０重量％、約６０重量％から、及び／又は約７０重量％、又は約８０重量％、又は約９０重量％、又は約９５重量％の範囲の量で存在してよい。好ましくは、樹脂ブレンドは、フィルム中に約５０％〜約８０％、より好ましくは約６０％〜約７５％存在する。
【００４８】
全ての可塑剤（水を含む）、相溶化剤、及び二次添加剤の結合量と比較して、全ての水溶性ポリマーの量の重量比は、例えば、約０．５〜約１８、約０．５〜約１５、約０．５〜約９、約０．５〜約５、約１〜３、又は約１〜２の範囲であり得る。好ましくは、この比は、約１〜約３、より好ましくは約１．３〜約２．５である。特異的な量の可塑剤及び他の非ポリマー組成物は、水溶性フィルムの目的の用途に基づいて、特定の実施形態において選択することができ、所望のフィルム機械的特性を考慮して、フィルムの柔軟性を調整し、加工利点を付与することができる。
【００４９】
ＰＶＯＨ樹脂ブレンドは、１つ以上のタイプのアニオン性モノマー単位（例えば、ＰＶＯＨター−（又はそれ以上のコ−）ポリマー）、好ましくは１タイプのアニオン性モノマー単位を含むＰＶＯＨポリマー（「第１のＰＶＯＨポリマー」）である第１のＰＶＯＨ樹脂を含む。ＰＶＯＨ樹脂ブレンドは、ビニルアルコールモノマー単位及び（任意に）ビニルアセテートモノマー単位から本質的になるＰＶＯＨポリマー（「第２のＰＶＯＨポリマー」）である第２のＰＶＯＨ樹脂を含む（例えば、完全に加水分解されたポリビニルアルコール又は部分的に加水分解されたポリ（ビニルアルコール−コ−ビニルアセテート）の組み合わせのいずれかであるＰＶＯＨホモポリマー。好ましくは、ＰＶＯＨ樹脂ブレンドは、第１のＰＶＯＨコポリマー及び第２のＰＶＯＨポリマーのみを含む（例えば、２つのポリマーの二成分ブレンド）。代替的又は追加的に、ＰＶＯＨ樹脂ブレンド、水溶性フィルム、又は両方は、他のポリマー（例えば、一般に他の水溶性ポリマー、具体的には他のＰＶＯＨ系ポリマー、又はその両方）を含まないか、又は実質的に含まないことを特徴とすることができる。水溶性フィルムは、１つ以上の追加の水溶性ポリマーを含むことができる。例えば、ＰＶＯＨ樹脂ブレンドは、第３のＰＶＯＨポリマー、第４のＰＶＯＨポリマー、第５のＰＶＯＨポリマー（例えば、アニオン性モノマー単位を有する、又は有さない、１つ以上の追加のＰＶＯＨホモポリマー又はＰＶＯＨコポリマー）などを含むことができる。例えば、水溶性フィルムは、ＰＶＯＨポリマー以外（例えば、アニオン性モノマー単位を有する、又は有さない、ＰＶＯＨホモポリマー又はＰＶＯＨコポリマー以外）の少なくとも第３（又は、第４、第５など）の水溶性ポリマーを含むことができる。
【００５０】
ＰＶＯＨ樹脂ブレンドは、第１のＰＶＯＨポリマーを含む。第１のＰＶＯＨポリマーは、アニオン性モノマー単位を含む。第１のＰＶＯＨポリマーは、ビニルアルコールモノマー単位、ビニルアセテートモノマー単位（すなわち、完全に加水分解されていない場合）、及び単一タイプのアニオン性モノマー単位（例えば、単一タイプのモノマー単位は、アニオン性モノマー単位の同等の酸形態、塩形態、及び任意に残留エステル形態を含むことができる）を含むＰＶＯＨターポリマーであり得る。ＰＶＯＨコポリマーは、２種以上のアニオン性モノマー単位を含むことができる。好ましくは、ＰＶＯＨコポリマーは、単一タイプのアニオン性モノマー単位を含む。
【００５１】
第１のＰＶＯＨポリマー中のアニオン性モノマー単位は、カルボキシル化アニオン性モノマー単位に由来し得る。本明細書において使用する場合、「カルボキシル化アニオン性モノマー単位」は、モノカルボン酸ビニルモノマー、そのエステル及び無水物、重合可能な二重結合を有するジカルボン酸モノマー、そのエステル及び無水物、並びに上記のいずれかの塩、好ましくはそのアルカリ金属塩、に対応するビニル重合単位を含む。
【００５２】
驚くべきことに、モノマレエート単位などのカルボキシル化モノマーを有するアニオン性ポリマーが、アクリルアミドメチルプロパンスルホン酸塩などのスルホン化モノマーを含有するもののような他のアニオン性ポリマーと比較して、特定の利点を提供することが見出された。理論に束縛されることを望むものではないが、モノマレエート単位などのカルボキシル化モノマーは、良好なパウチ強度を更に確保するため、ポリマーパッキング、及びそれによりもたらされるフィルムの結晶性を過度に破壊せずに、ポリマーパッキング、つまりフィルムの結晶性を十分に破壊する適切なバランスをもたらし、良好なフィルム溶解を可能にすると考えられている。
【００５３】
好適なアニオン性モノマー単位の例としては、ビニルアニオン性モノマーに対応するビニル重合単位が挙げられ、このビニルアニオン性モノマーには、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、上記のアルカリ金属塩（例えば、ナトリウム塩、カリウム塩、又は他のアルカリ金属塩）、上記のエステル（例えば、メチル、エチル、又は他のＣ１〜Ｃ４又はＣ６アルキルエステル）、及びこれらの組み合わせ（例えば、複数のタイプのアニオン性モノマー、又は同じアニオン性モノマーの同等物）が挙げられる。カルボキシル化アニオン性モノマー単位は、マレイン酸、マレイン酸モノアルキル、マレイン酸ジアルキル、無水マレイン酸、及びこれらの組み合わせから選択されてもよい。好ましくは、カルボキシル化アニオン性モノマー単位は、マレイン酸モノアルキルモノマー単位である。マレイン酸モノアルキルモノマー単位は、マレイン酸モノメチル、そのアルカリ金属塩（例えば、ナトリウム塩）、及びこれらの組み合わせからなる群より選択されることが好ましい。マレイン酸モノアルキルモノマーは、マレイン酸モノメチルであることが好ましい。
【００５４】
１つ以上のアニオン性モノマー単位は、第１のＰＶＯＨポリマー中に所定の量で組み入れられるか、又は存在してもよい。典型的には、アニオン性モノマー含量が増加するにつれて、ＰＶＯＨポリマー樹脂、樹脂ブレンド、及び／又はこのような樹脂又は樹脂ブレンドから製造されたフィルムの溶解度も増加する。より高いアニオン性モノマー含量を有するＰＶＯＨポリマーを含むフィルムはまた、相対的に高い粘着度を有することができ、より高い封止性を示すことができる。しかし、相対的な粘着度が高すぎる水溶性フィルムは、粘着フィルムをパウチに変換することが困難であるため、望まれない場合がある。
【００５５】
アニオン性モノマー単位の量は、第１のＰＶＯＨポリマー中のアニオン性モノマー単位のモル含量（例えば、モル％で表現される）を特徴としてもよい。１つ以上のアニオン性モノマー単位は、第１のＰＶＯＨポリマー中に、個別で又は一括して、約３モル％〜約６モル％、又は約３モル％〜約５モル％、又は約３．５モル％〜約４．５モル％、又は約４モル％〜約４．５モル％の範囲の量で存在してよい。アニオン性モノマー単位（複数）は、第１のＰＶＯＨポリマー中に、少なくとも４．０モル％の約３．０、３．５モル％、及び／又は最大約６．０、５．５、５．０、又は４．５モル％の量で存在してよい。
【００５６】
代替的又は追加的に、アニオン性モノマー単位（複数）は、例えば、フィルム中のＰＶＯＨポリマーの総量（例えば、ＰＶＯＨ樹脂ブレンド中のホモポリマー（複数）及びコポリマー（複数）を含むＰＶＯＨポリマーの合計）と比較した、アニオン性モノマー単位のモル含量（モル％）として、ＰＶＯＨフィルム中に存在するアニオン性モノマー単位を特徴としてもよい。アニオン性モノマー単位（複数）は、水溶性フィルム中に、フィルム中の総ＰＶＯＨポリマーの約０．５モル％〜約３モル％の範囲の量で存在してよい。アニオン性モノマー単位（複数）は、フィルム中に、フィルム中の総ＰＶＯＨポリマーの少なくとも約０．５、０．７５、１．０、若しくは１．２モル％、及び／又は最大約３．０、２．５、２．０、若しくは１．７モル％の量で存在してよい。例えば、（カルボキシル化）アニオン性モノマー単位を含む第１のＰＶＯＨポリマーは、約２０重量％／８０重量％のブレンドから約８０重量％／２０重量％のブレンドで、ホモポリマーなどの第２のＰＶＯＨポリマーとブレンドされてよく、平均ブレンドアニオン性モノマー単位の含量が、総ＰＶＯＨポリマーの約０．５モル％〜約３モル％を実現してよい。上記のアニオン性モノマー単位の含量はまた、フィルム、ＰＶＯＨ、又はその他の中の総水溶性ポリマー含量に対して代替的又は追加的に適用することができる。
【００５７】
ポリビニルアセテートをポリビニルアルコールにけん化するための溶剤は、典型的には、乾燥後も得られるＰＶＯＨ粉末中に残留し得るメタノールである。ＰＶＯＨを溶解すると、メタノールは大気中に放出される。これにより、ＰＶＯＨ粉末中に残留するメタノール含量が、３重量％未満、又は更には１重量％未満まで低下することが望ましい。揮発性有機物を除去する方法は、乾燥工程中に水分含有ガスを供給し、揮発性有機物をＰＶＯＨポリマー中の水と置換することを含む。しかし、エチレン性不飽和ジカルボン酸のモノエステル、ジエステル、又は無水物で変性されたＰＶＯＨは、水に対する親和性が高く、水性ガスの使用により粉末粒子の表面が溶解して粒子の凝集が起こり、ＰＶＯＨの加工を困難にする。あるいは、高温での長時間の加熱を用いて残留メタノールを除去する。しかし、このような高温は、ＰＶＯＨヒドロキシル部分とモノエステル、ジエステル及び／又は無水物単位との間の架橋を促進し、不溶性成分を生成する。
【００５８】
ＰＶＯＨコポリマー中の残留メタノールの量を低減するために、けん化されたコポリマーを、酢酸メチル含量が約４５体積％以上、６０体積％以上、又は７０体積％以上であるメタノール／酢酸メチルの混合物中で洗浄する。例えば、けん化工程後に得られたＰＶＯＨゲルを、メタノール／酢酸メチルが１５／８５（ｖ／ｖ）の割合で粉砕することができる。
【００５９】
更に、メタノール量を低減するために、９５重量％超が１．０ｍｍのふるいを通過するか、又は３０％超が５００マイクロメートルのふるいを通過するか、又は４５％超が５００マイクロメートルのふるいを通過するように、最終ＰＶＯＨ樹脂の粒径を小さくできる。最終ＰＶＯＨ樹脂の粒径が大きく過ぎても、メタノールの揮発が困難となる。
【００６０】
エチレン性不飽和ジカルボン酸のモノエステル、ジエステル、又は無水物を含有するＰＶＯＨコポリマーについて、部分けん化によってラクトン環形成物と変性コポリマーの比を制御することにより、不溶性成分の量を低減することができる。ラクトン環形成物と変性コポリマーの比は、等式（Ｑ）によって記載することができる。
０．０５≦Ｙ／Ｘ＜０．９８  （Ｑ）
式中、Ｘは変性コポリマー、Ｙはラクトン環形成物である。不溶性材料の量を低減させるために、Ｙ／Ｘは、約０．８０以下、約０．６０以下、約０．４０以下である。
【００６１】
ＰＶＯＨ樹脂ブレンドは、第２のＰＶＯＨポリマーを含む。第２のＰＶＯＨポリマーは、ビニルアルコールモノマー単位、及び任意にビニルアセテートモノマー単位（例えば、ＰＶＯＨホモポリマー）から本質的になる。
【００６２】
水溶性フィルムは、少なくとも約５０重量％、５５重量％、６０重量％、６５重量％、７０重量％、７５重量％、８０重量％、８５重量％、若しくは９０重量％、及び／又は最大約６０重量％、７０重量％、８０重量％、９０重量％、９５重量％、若しくは９９重量％のＰＶＯＨ樹脂ブレンドを含有し得る。好ましくは、樹脂ブレンドは、フィルム中に約５０％〜約８０％、より好ましくは約６０％〜約７５％存在する。
【００６３】
第１のＰＶＯＨポリマーは、水溶性フィルム中に、フィルム中の総ＰＶＯＨポリマーの（すなわち、ＰＶＯＨ樹脂ブレンド重量に対して）約１０重量％〜約７０重量％、又は約１０重量％〜約６０重量％、又は約２０重量％〜約５０重量％、又は約３０重量％〜約４０重量％の範囲の量で存在してよい。例えば、第１のＰＶＯＨポリマーは、フィルム中の総ＰＶＯＨポリマーの少なくとも約１０重量％、２０重量％、３０重量％、４０重量％、５０重量％、６０重量％、及び／又は最大約７０重量％、６０重量％、５０重量％、４０重量％、３０重量％、２０重量％、若しくは１０重量％、好ましくは、少なくとも約３０重量％、及び／又は最大約４０重量％の量で存在してよい。第１のＰＶＯＨコポリマーの上記の濃度は、代替的又は追加的に、フィルム、ＰＶＯＨ、又はその他の中の総水溶性ポリマー含量に関連し得る。
【００６４】
第２のＰＶＯＨポリマーは、フィルム中の総ＰＶＯＨポリマーの（すなわち、ＰＶＯＨ樹脂ブレンド重量に対して）約３０重量％〜約９０重量％、又は約４０重量％〜約９０重量％、又は約５０重量％〜約８０重量％、又は約６０重量％〜約７０重量％の範囲の量で存在してよい。例えば、第２のＰＶＯＨポリマーは、フィルム中の総ＰＶＯＨポリマーの少なくとも３０重量％、４０重量％、５０重量％、若しくは６０重量％、及び／又は最大約９０重量％、８０重量％、７０重量％、６０重量％、５０重量％、若しくは４０重量％、好ましくは、少なくとも約６０重量％、及び／又は最大約７０重量％の量で存在してよい。第２のＰＶＯＨポリマーの上記の濃度は、代替的又は追加的に、フィルム、ＰＶＯＨ、又はその他の中の総水溶性ポリマー含量に関連し得る。
【００６５】
以下により詳細に記載するように、ＰＶＯＨポリマーは、その粘度（一般にポリマーの分子量に相関する値）を特徴としてもよい。ポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを備えたＢｒｏｏｋｆｉｅｌｄ  ＬＶ型粘度計を使用して、新たに製造した溶液を測定することにより決定される。４％ポリビニルアルコール水溶液の２０℃における粘度を指定することが国際的な慣行である。本明細書においてｃＰで明記されているポリマー粘度は、特に指定のない限り、２０℃における４％の水溶性ポリマー水溶液の粘度を指すと理解すべきである。参考までに、第１のＰＶＯＨポリマーは、２０℃での第１の４％溶液粘度（μ１）を有するものとして表されてよく、第２のＰＶＯＨポリマーは、２０℃での第２の４％溶液粘度（μ２）を有するものとして表されてもよい。
【００６６】
第１のＰＶＯＨポリマーは、約１０ｃＰ〜約４０ｃＰ、又は約１０ｃＰ〜約３０ｃＰ、又は約１２ｃＰ〜約２５ｃＰ、又は１４ｃＰ〜２０ｃＰの２０℃での４％溶液粘度（μ１）を特徴としてもよい。第１の粘度μ１は、約４ｃＰ〜約２４ｃＰの範囲であってよい（例えば、少なくとも約４、８、１０、若しくは１２ｃＰ、及び／又は最大約１２、１６、２０、若しくは２４ｃＰ、例えば約１０ｃＰ〜約１６ｃＰ、又は約１０ｃＰ〜約２０ｃＰなど）。第２のＰＶＯＨポリマーは、約３．０ｃＰ〜約４０ｃＰ、又は約７〜約４０ｃＰ、約１０ｃＰ〜約４０ｃＰの、又は約１０ｃＰ〜約３０ｃＰ、又は約１２ｃＰ〜約２５ｃＰの２０℃での４％溶液粘度（μ２）を特徴としてもよい。第２の粘度μ２は、約４ｃＰ〜約２４ｃＰの範囲であってよい（例えば、少なくとも約４、８、１０、若しくは１２ｃＰ、及び／又は最大約１２、１６、２０、若しくは２４ｃＰ、例えば約１０ｃＰ〜約１６ｃＰ、又は約１０ｃＰ〜約２０ｃＰなど）。第２のＰＶＯＨポリマーは、約２０ｃＰ以下（例えば、少なくとも約４、８、１０、若しくは１２ｃＰ、及び／又は最大約１２、１６、若しくは２０ｃＰ）の２０℃での第２の４％溶液粘度（μ２）を有してもよい。第１のＰＶＯＨポリマーと第２のＰＶＯＨポリマーとの絶対粘度の差｜μ２−μ１｜は、０ｃＰ〜約１０ｃＰの範囲であってよく、又は少なくとも約０、０．５、１、若しくは２ｃＰ、及び／若しくは最大約８、９、若しくは１０ｃＰ、例えば約０ｃＰ〜約１０ｃＰ、又は約２ｃＰ〜約８ｃＰなどの範囲であってよい。
【００６７】
水溶性ポリマー（ＰＶＯＨ又はその他）の粘度は、同じポリマーの重量平均分子量
【００６８】
【数１】
2019513643.tif 000003
と相関し、多くの場合粘度は
【００６９】
【数２】
2019513643.tif 000004
の代わりとして用いられることは、当該技術分野において周知である。このように、第１のＰＶＯＨポリマーと第２のＰＶＯＨポリマーとを含む、水溶性ポリマーの重量平均分子量は、例えば、約３０，０００〜約１７５，０００、又は約３０，０００〜約１００，０００、又は約５５，０００〜約８５，０００の範囲であることができる。
【００７０】
ＰＶＯＨ樹脂ブレンドが、ＰＶＯＨポリマー及びＰＶＯＨコポリマー樹脂から選択される３つ以上のＰＶＯＨ樹脂を含む場合、上記の粘度値を、ＰＶＯＨポリマー又はＰＶＯＨコポリマーの各々に個別に適用でき、上記の粘度の差を、ＰＶＯＨ樹脂ブレンド及び得られた水溶性フィルム中のＰＶＯＨポリマー／ＰＶＯＨコポリマーの対の各々に適用できる。
【００７１】
上記のとおり、ＰＶＯＨポリマーは、加水分解度を特徴としてもよい。第１のＰＶＯＨポリマーは、６０％〜約９９％、好ましくは約８０％〜約９８％、好ましくは約８３％〜約９５％、好ましくは約８５％〜約９２％の加水分解度を特徴としてもよい。第２のＰＶＯＨポリマーは、６０％〜約９９％、好ましくは約８０％〜約９８％、好ましくは約８５％〜約９５％、好ましくは約８７％〜約９２％の加水分解度を特徴としてもよい。
【００７２】
他のフィルム成分及び／又は特性
上記のポリビニルアルコールポリマーに加えて、本開示の水溶性フィルムは、他の成分を含んでもよい。
【００７３】
本開示のフィルムは、他の水溶性ポリマーを含んでもよい。ブレンド中にＰＶＯＨポリマー及びＰＶＯＨコポリマーに加えて使用するための他の水溶性ポリマーとしては、変性ポリビニルアルコール、ポリアクリレート、水溶性アクリレートコポリマー、ポリビニルピロリドン、ポリエチレンイミン、プルラン、水溶性天然ポリマー（グアーガム、アラビアゴム、キサンタンゴム、カラギーナン、及びデンプンが挙げられるが、これらに限定されない）、水溶性ポリマー誘導体（変性デンプン、エトキシ化デンプン、及びヒドロキシプロピル化デンプンが挙げられるが、これらに限定されない）、上記のコポリマー、並びに上記のいずれかの組み合わせが挙げることができるが、これらに限定されない。更に他の水溶性ポリマーは、ポリアルキレンオキシド、ポリアクリルアミド、ポリアクリル酸及びその塩、セルロース、セルロースエーテル、セルロースエステル、セルロースアミド、ポリビニルアセテート、ポリカルボン酸及びその塩、ポリアミノ酸、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、並びにポリメタクリレートを含むことができる。このような水溶性ポリマーは、ＰＶＯＨであろうとなかろうと、種々の供給源から市販されている。上記の水溶性ポリマーのいずれかは、一般に、フィルム形成ポリマーとしての使用に適し得る。一般に、水溶性フィルムは、上記の樹脂のコポリマー及び／又はブレンドを含むことができる。
【００７４】
水溶性ポリマー（例えば、他の水溶性ポリマーと組み合わされたＰＶＯＨ樹脂ブレンド）は、例えば、約３０重量％、又は約５０重量％から、約９０重量％、又は約９５重量％の範囲の量でフィルム中に含まれることができる。全ての可塑剤、相溶剤、及び二次添加剤の結合量と比較して、全ての水溶性ポリマーの量の重量比は、例えば、約０．５〜約１８、約０．５〜約１５、約０．５〜約９、約０．５〜約５、約１〜３、又は約１〜２の範囲であり得る。好ましくは、この比は、約１〜約３、より好ましくは約１．３〜約２．５である。特異的な量の可塑剤及び他の非ポリマー組成物は、水溶性フィルムの目的の用途に基づいて、特定の実施形態において選択することができ、所望のフィルム機械的特性を考慮して、フィルムの柔軟性を調整し、加工利点を付与することができる。
【００７５】
本明細書に記載されるフィルム中で使用するための水溶性ポリマー（ＰＶＯＨポリマー及びＰＶＯＨコポリマーを含むが、これらに限定されない）は、約３．０〜約４０ｃＰ又は約３０ｃＰ又は約２７．０ｃＰの範囲、例えば、約４．０〜約２４．０ｃＰ、約４．０〜約２３．０ｃＰ、約４．０〜約１５ｃＰ、又は約６．０〜約１０．０ｃＰの粘度を特徴とすることができる。ポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを備えたＢｒｏｏｋｆｉｅｌｄ  ＬＶ型粘度計を使用して、新たに製造した溶液を測定することにより決定される。４％ポリビニルアルコール水溶液の２０℃における粘度を指定することが国際的な慣行である。本明細書においてｃＰで明記されているポリマー粘度は、特に指定のない限り、２０℃における４％の水溶性ポリマー水溶液の粘度を指すと理解すべきである。
【００７６】
水溶性ポリマー（ＰＶＯＨ又はその他）の粘度は、同じポリマーの重量平均分子量
【００７７】
【数３】
2019513643.tif 000005
と相関し、多くの場合粘度は
【００７８】
【数４】
2019513643.tif 000006
の代わりとして用いられることは、当該技術分野において周知である。このように、第１のＰＶＯＨポリマーと第２のＰＶＯＨポリマーとを含む、水溶性ポリマーの重量平均分子量は、例えば、約３０，０００〜約１７５，０００、又は約３０，０００〜約１００，０００、又は約５５，０００〜約８５，０００の範囲であることができる。
【００７９】
水溶性フィルムは、他の補助的な薬剤及び加工剤、例えば、これらに限定されないが、可塑剤、可塑剤相溶剤、界面活性剤、潤滑剤、離型剤、充填剤、増量剤、架橋剤、ブロッキング防止剤、酸化防止剤、粘着性除去剤、消泡剤、層状ケイ酸塩型ナノクレイ（例えば、モンモリロナイトナトリウム）などのナノ粒子、漂白剤（例えば、メタ重亜硫酸ナトリウム、重亜硫酸ナトリウムなど）、苦味剤などの嫌悪剤（例えば、安息香酸デナトニウム、サッカリンデナトニウム、及び塩化デナトニウムなどのデナトニウム塩；オクタアセチルスクロース；キニーネ；ケルセチン及びナリンゲン（naringen）などのフラボノイド；並びにカシン及びブルシンなどのカシノイド）、及び刺激性（例えば、カプサイシン、ピペリン、イソチオシアン酸アリル、及びレシニフェラトキシン）、及び他の機能性成分を、それらの意図された目的に適した量で含有できる。可塑剤を含むフィルムは、有益である。このような薬剤の量は、個別で又は一括して、最大約５０重量％、２０重量％、１５重量％、１０重量％、５重量％、４重量％、及び／又は少なくとも０．０１重量％、０．１重量％、１重量％、又は５重量％であってよい。好ましくは、フィルム中のこのような補助的な薬剤及び加工剤の総量は、約２０％〜約５０％、より好ましくは約２５％〜約４０％である。
【００８０】
可塑剤としては、グリセリン、ジグリセリン、ソルビトール、エチレングリコール、ジエチレングリコール、トリエチレングリコール、ジプロピレングリコール、テトラエチレングリコール、プロピレングリコール、４００ＭＷまでのポリエチレングリコール、ネオペンチルグリコール、トリメチロールプロパン、ポリエーテルポリオール、ソルビトール、２−メチル−１，３−プロパンジオール、エタノールアミン、及びこれらの混合物を挙げることができるが、これらに限定されない。好ましい可塑剤は、グリセリン、ソルビトール、トリエチレングリコール、プロピレングリコール、ジプロピレングリコール、２−メチル−１，３−プロパンジオール、トリメチロールプロパン、又はこれらの組み合わせである。可塑剤の総量は、フィルムの総重量に基づいて、約１重量％〜約４０重量％、又は１０重量％〜約４０重量％、又は約１５重量％〜約３５重量％、又は約２０重量％〜約３０重量％の範囲、例えば約２５重量％であってもよい。グリセリン、ジプロピレングリコール、及びソルビトールを組み合わせて使用してもよい。あるいは、グリセリン、トリメチロールプロパン、及びソルビトールを組み合わせて使用してもよい。所望により、グリセリンは、約５重量％〜約３０重量％、又は５重量％〜約２０重量％、例えば、約１３重量％の量で使用され得る。所望により、ジプロピレングリコール又はトリメチロールプロパンは、約１重量％〜約２０重量％、又は約３重量％〜約１０重量％、例えば、６重量％の量で使用され得る。所望により、ソルビトールは、約１重量％〜約２０重量％、又は約２重量％〜約１０重量％、例えば約５重量％の量で使用され得る。特異的な量の可塑剤は、水溶性フィルムの所望のフィルムの柔軟性及び加工特性に基づいて、特定の実施形態で選択され得る。可塑剤の濃度が低いと、フィルムは、脆性になり、加工が難しく、又は破断されやすくなる場合がある。可塑剤の濃度が高いと、フィルムは、柔らかすぎて、弱く、所望の用途のための加工が難しくなる可能性がある。
【００８１】
好適な界面活性剤としては、非イオン性、カチオン性、アニオン性及び双極性の部類を挙げることができる。好適な界面活性剤としては、ポリオキシエチレン化ポリオキシプロピレングリコール、アルコールエトキシレート、アルキルフェノールエトキシレート、第三級アセチレングリコール及びアルカノールアミド（非イオン性物質）、ポリオキシエチレン化アミン、第四級アンモニウム塩、及び四級化されたポリオキシエチレン化アミン（カチオン性物質）、及びアミンオキシド、Ｎ−アルキルベタイン及びスルホベタイン（双極性物質）が挙げられるが、これらに限定されない。他の好適な界面活性剤としては、ジオクチルナトリウムスルホサクシネート、グリセロールとプロピレングリコールのラクチル化脂肪酸エステル、脂肪酸のラクチルエステル（lactylic ester）、アルキル硫酸ナトリウム、ポリソルベート２０、ポリソルベート６０、ポリソルベート６５、ポリソルベート８０、レシチン、グリセロールとプロピレングリコールのアセチル化脂肪酸エステル、及び脂肪酸のアセチル化エステル、並びにこれらの組み合わせが挙げられる。水溶性フィルム中の界面活性剤の量は、約０．１重量％〜２．５重量％、任意に約１．０重量％〜２．０重量％の範囲であってよい。
【００８２】
好適な潤滑剤／離型剤としては、脂肪酸類及びそれらの塩類、脂肪族アルコール類、脂肪酸エステル類、脂肪族アミン類、脂肪族アミンアセテート類及び脂肪酸アミド類が挙げられるが、これらに限定されない。好ましい潤滑剤／離型剤は、脂肪酸類、脂肪酸塩、及び脂肪族アミンアセテート類である。水溶性フィルム中の潤滑剤／離型剤の量は、約０．０２重量％〜約１．５重量％、任意に約０．１重量％〜約１重量％の範囲であってよい。
【００８３】
このフィルムは、苦味剤などの嫌悪剤、例えば、安息香酸デナトニウム及び／又はその誘導体を含んでもよい。この嫌悪剤は、フィルムの製造に先立って（例えば、フィルムのキャスティング又は押し出しに先立って）、ポリマー材料及び／又は他の添加剤と混合されてもよい。代替的又は追加的に、この嫌悪剤は、例えば、粉付け、印刷、噴霧、又は他のコーティングによって、一旦形成されたフィルム又はパウチに添加してもよい。
【００８４】
好適な充填剤／増量剤／ブロッキング防止剤／粘着性除去剤としては、デンプン、変性デンプン、架橋ポリビニルピロリドン、架橋セルロース、微結晶セルロース、シリカ、金属酸化物、炭酸カルシウム、タルク及び雲母が挙げられるが、これらに限定されない。好ましい材料は、デンプン、変性デンプン及びシリカである。水溶性フィルム中の充填剤／増量剤／ブロッキング防止剤／粘着性除去剤の量は、約０．１重量％〜約２５重量％、約１重量％〜約１０重量％、約２重量％〜約８重量％、又は約３重量％〜約５重量％の範囲であってよい。デンプンが存在しない場合、好適な充填剤／増量剤／ブロッキング防止剤／粘着性除去剤の１つの好ましい範囲は、約０．１重量％若しくは１重量％〜約４重量％若しくは６重量％、又は約１重量％〜約４重量％、又は約１重量％〜約２．５重量％である。
【００８５】
水溶性フィルムは、カールフィッシャー（Karl Fischer）滴定により測定するとき、少なくとも４重量％、好ましくは、約４〜約１０重量％の範囲の残留水分含量を更に有していてもよい。
【００８６】
フィルムは、不透明でも、透明でも、半透明でもよい。フィルムは、プリントされた領域を含んでもよい。印刷領域は、フィルムの連続部分で覆われてもよく、又はその一部で覆われてもよい。プリント領域はインク、顔料、染料、ブルーイング剤、又はこれらの混合物を含んでもよい。プリント領域は、単色を含んでも、複数色、更には３色を含んでもよい。プリントは、フィルム表面上に層として存在しても、フィルム内に少なくとも部分的に浸透していてもよい。フィルムは、第１の面及び第２の面を含むものである。プリント領域は、フレキソ印刷又はインクジェット印刷などの標準的な技術を使用して得ることができる。プリント領域は、フィルムの片面上にあっても、両面上にあってもよい。あるいは、フィルムの全部又は少なくとも一部が着色されるように、インク又は顔料をフィルムの製造中に添加してもよい。
【００８７】
フィルムの製造方法
水溶性フィルムは、例えば、本明細書に記載される好ましい及び任意の二次添加剤と共に、第１のＰＶＯＨコポリマー及び第２のＰＶＯＨポリマーを、本明細書に記載されるタイプ及び量に従って、混合、共キャスティング、又は溶着することによって形成することができる。ポリマーが最初に混合される場合、好ましくは得られた混合物を（例えば、他の可塑剤及び他の添加剤と共に）キャスティングしてフィルムを形成することにより水溶性フィルムを形成する。ポリマーが溶着される場合、例えば、溶剤又は熱溶着により、水溶性フィルムを形成してもよい。水溶性フィルムは、押し出し、例えば押出ブロー成形により形成されてもよい。
【００８８】
フィルムは、任意の好適な厚さを有することができる。例えば、フィルムは、約５〜約２００μｍの範囲、又は約２０〜約１００μｍ、又は約３５〜約１００μｍ、又は約４０〜約８５μｍの範囲、例えば、７６μｍの厚さを有することができる。例えば、以下に記載されるように熱成形によりパウチを製造する際、フィルムが変形し、パウチのフィルム厚さが変化する場合がある。したがって、フィルムの変形されていない厚さは、変形及び／又はパウチ形成に先立って決定することができる。
【００８９】
所望により、水溶性フィルムは、１層又は複数の同様の層からなる自立フィルムであり得る。
【００９０】
本明細書に記載されるフィルムを使用して、同じフィルムで又は他のポリマー材料のフィルムと組み合わされて製造された２つ以上の区画を有するパケットなどの物品を製造することも可能である。追加のフィルムは、例えば、当該技術分野において既知であるように、同じ又は異なるポリマー材料のキャスティング、吹込成形、押出成形又は押出ブロー成形により得ることができる。追加のフィルムとしての使用に適したポリマー、コポリマー、又はそれらの誘導体は、ポリビニルアルコール、ポリビニルピロリドン、ポリアルキレンオキシド、ポリアクリル酸、セルロース、セルロースエーテル、セルロースエステル、セルロースアミド、ポリビニルアセテート、ポリカルボン酸及びその塩、ポリアミノ酸又はペプチド、ポリアミド、ポリアクリルアミド、マレイン酸／アクリル酸のコポリマー、デンプン及びゼラチンを含む多糖類、キサンタンなどの天然ゴム、並びにカラギーナンから選択されてもよい。例えば、ポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート、並びにこれらの組み合わせから選択されてもよく、又はポリビニルアルコール、ポリビニルアルコールコポリマー、及びヒドロキシプロピルメチルセルロース（ＨＰＭＣ）、並びにこれらの組み合わせから選択されてもよい。意図されるある種のフィルムは、パウチ材料（例えば、上記のようなＰＶＯＨ樹脂ブレンド）中のポリマー濃度が少なくとも６０％であることを特徴とする。上記のとおり、そのフィルムは、その上に印刷されてもよい。
【００９１】
フィルムの使用
本開示は更に、改善された冷水溶性を示すパウチを提供するために、本明細書に記載されるようなフィルムの使用に関する。好ましくは、パウチは、洗濯洗剤などの家庭用ケア組成物を含む。このパウチは、約１℃〜約３０℃、又は約５℃〜約２０℃の温度の水へ改善された溶解度を示してもよい。
【００９２】
組成物
本物品（例えば、パウチ又はパケットの形態）は、様々な組成物、例えば、家庭用ケア組成物を収容することができる。多区画パウチは、それぞれ個々の区画に同じ又は異なる組成物を収容することができる。この組成物は、水溶性フィルムの近位にある。この組成物は、フィルムから約１０ｃｍ未満、又は約５ｃｍ未満、又は約１ｃｍ未満であってよい。典型的には、この組成物はフィルムに隣接しているか、又はフィルムと接触している。このフィルムは、内部に組成物を収容する、パウチ又は区画の形態であってよい。
【００９３】
上記のとおり、フィルム及びパウチは、水素イオン交換性を有する材料、例えば、アミン−脂肪酸平衡及び／又はアミン−アニオン性界面活性剤平衡などの酸／塩基平衡を特徴とする組成物の（例えば、直接接触する）パッケージに特に有利である。
【００９４】
多区画パウチは、不適合な成分（例えば、漂白剤と酵素）を含有する組成物を物理的に分離し、又は互いに区分化された状態に保つのに有用であり得る。このような仕切りは、このような成分の耐用年数を延ばし、及び／又は物理的不安定性を低減できると考えられる。追加的又は代替的に、このような仕切りは、審美的利点を提供することができる。
【００９５】
有用な組成物（例えば、家庭用ケア組成物）の非限定的な例には、軽質及び重質液体洗剤組成物、硬質表面洗浄用組成物、洗濯に広く使用されている洗剤ジェル、漂白及び洗濯用添加剤、布地柔軟剤組成物（柔軟仕上げ剤など）、シャンプー、ボディソープ、並びに他のパーソナルケア組成物が挙げられる。本発明のパウチに使用される組成物は、液体、固体、又は粉末の形態を取ることができる。液体組成物は、固体を含んでいてもよい。固体は、マイクロカプセル、ポリマービーズ、ヌードル若しくは１つ以上の真珠色のボール、又はこれらの混合物など、粉末又は粒塊を含み得る。このような固体要素は、洗浄を通して、又は前処理、遅延、若しくは順次放出成分として技術的利点をもたらし得る。追加的又は代替的に、固体要素は、審美的効果を提供することが可能である。
【００９６】
本明細書に記載されるフィルムによってカプセル化される組成物は、配合した成分及び組成物の目的などの要素に応じ、任意の好適な粘度を有し得る。組成物は、２０ｓ−１のせん断速度及び２０℃の温度下で、１００〜３，０００ｃＰ、あるいは３００〜２，０００ｃＰ、あるいは５００〜１，０００ｃＰの高せん断粘度値を有し得、１ｓ−１のせん断速度及び２０℃の温度下で、５００〜１００，０００ｃＰ、あるいは１０００〜１０，０００ｃＰ、あるいは１，３００〜５，０００ｃＰの低せん断粘度値を有し得る。粘度の測定方法は、当該技術分野で既知である。本開示によると、粘度測定は、回転レオメータ、例えばＴＡ  Ｉｎｓｔｒｕｍｅｎｔ社のＡＲ５５０を用いて実施される。この計器は、等方性液体用の約５０〜６０μｍのギャップを有する、４０ｍｍの２°若しくは１°の円錐器具、又は粒子含有液体用の１０００μｍのギャップを有する、４０ｍｍのフラットスチールプレートを含む。この測定は、調整工程、ピークホールド、及び連続傾斜工程を含むフロー手順を用いて実施される。調整工程は、２０℃の測定温度の設定で、１０ｓ−１のせん断速度での１０秒の予備せん断、及び選択された温度での６０秒の平衡を含む。ピークホールドは、１０ｓ毎にサンプリングして、３分間２０℃にて０．０５ｓ−１のせん断速度を適用することを含む。連続傾斜工程は、全フロープロファイルを得るために、３分間２０℃にて０．１〜１２００ｓ−１のせん断速度で実施する。
【００９７】
洗濯、洗濯添加剤及び／又は布地柔軟剤組成物を含むパウチ又はその他の物品において、組成物は、次の非限定的な成分リストの１つ以上を含んでもよい。布地ケア有益剤、洗浄性酵素、沈着助剤、レオロジー変性剤、ビルダー、漂白剤（bleach）、漂白剤（bleaching agent）、漂白剤前駆体、漂白促進剤、漂白触媒、香料及び／又は香料マイクロカプセル香料充填ゼオライト、デンプン封入アコード、ポリグリセロールエステル、白色剤、パールエッセンス剤酵素安定剤系、アニオン性染料の固着剤を含む除去剤、アニオン性界面活性剤の錯化剤、及びこれらの混合物、任意の漂白剤又は蛍光剤、汚れ放出ポリマー及び／又は汚れ懸濁ポリマーを含むがこれらに限定されないポリマー、分散剤、消泡剤、非水性溶剤、脂肪酸、泡抑制剤、例えばシリコーン泡抑制剤、カチオンデンプン、スカム分散剤、直接染料、色調染料、着色剤；乳白剤、酸化防止剤、トルエンスルホネート、キュメンスルホネート、及びナフタレンスルホネートなどのヒドロトロープ、カラー粒子、着色ビーズ、球体、又は押出物、粘土柔軟化剤、抗菌剤。追加的又は代替的に、組成物は、界面活性剤、第四級アンモニウム化合物、及び／又は溶剤系を含んでもよい。第四級アンモニウム化合物は、柔軟仕上げ剤などの布地柔軟剤組成物中に存在してもよく、正電荷を有する多原子イオンの構造ＮＲ４＋（式中、Ｒはアルキル基又はアリール基）である第四級アンモニウムカチオンを含む。
【００９８】
界面活性剤
洗剤組成物は、約１重量％〜８０重量％の界面活性剤を含み得る。界面活性剤は、第１の組成物の成分として特に好ましい。好ましくは、第１の組成物は約５重量％〜５０重量％の界面活性剤を含む。第２及び第３の組成物は、０．１〜９９．９％の濃度の界面活性剤を含んでもよい。
【００９９】
使用される洗浄性界面活性剤は、アニオン性、非イオン性、双極性イオン、両性若しくはカチオン性のタイプのものであってもよく、又はこれらのタイプの界面活性剤の相容性混合物を含んでもよい。より好ましくは、界面活性剤はアニオン性、非イオン性、カチオン性の界面活性剤、及びこれらの混合物からなる群から選択される。好ましくは、組成物はベタイン系界面活性剤を実質的に含まない。アニオン性及び非イオン性の界面活性剤が好ましい。
【０１００】
有用なアニオン性界面活性剤は、それら自体がいくつかの異なるタイプのものであってよい。例えば、高級脂肪酸類の水溶性塩、すなわち「石鹸」は、本明細書の組成物において有用なアニオン性界面活性剤である。これには、約８〜約２４個の炭素原子、好ましくは約１２〜約１８個の炭素原子を含有する高級脂肪酸のナトリウム塩、カリウム塩、アンモニウム塩、及びアルキルアンモニウム塩のような、アルカリ金属石鹸が挙げられる。石鹸は、油脂の直接鹸化によって、又は遊離脂肪酸の中和によって作製することができる。特に有用なものは、ココヤシ油及び獣脂から誘導される脂肪酸の混合物のナトリウム塩及びカリウム塩、すなわち、ナトリウム又はカリウムタロー及びココヤシ石鹸である。
【０１０１】
本明細書に用いるのに好適な、石鹸以外のその他のアニオン性界面活性剤としては、その分子構造内に約１０〜約２０個の炭素原子を含有するアルキル基とスルホン酸又は硫酸エステル基とを有する有機イオウ反応生成物の、水溶性塩類、好ましくはアルカリ金属及びアンモニウム塩が挙げられる。（用語「アルキル」にはアシル基のアルキル部分が含まれる。）合成界面活性剤のこの基の例としては、ａ）獣脂又はココナッツ油のグリセリドを還元することにより製造されたものなど、特に高級アルコ−ル（Ｃ８〜Ｃ１８）を硫酸化することによって得られたものなどの、アルキル硫酸ナトリウム、カリウム、及びアンモニウムと、ｂ）特に、アルキル基が１０〜２２個、好ましくは１２〜１８個の炭素原子を含むものなどで、ポリエトキシレート鎖は、１〜１５個、好ましくは１〜６個のエトキシレート部分を含む、アルキルポリエトキシレート硫酸ナトリウム、カリウム、及びアンモニウムと、Ｃ）直鎖又は分岐鎖の構成で、アルキル基が、約９〜約１５個の炭素原子を含む、アルキルベンゼンスルホン酸ナトリウム、及びカリウムと、を含む。とりわけ価値があるのは、アルキル基の平均炭素原子数が約１１〜１３個のＣ１１〜Ｃ１３  ＬＡＳと略される、直鎖アルキルベンゼンスルホン酸塩である。
【０１０２】
本開示のアニオン性界面活性剤及び補助アニオン性補助界面活性剤は酸型で存在してもよく、この酸型を中和して、本発明の洗剤組成物で使用するために望ましい界面活性剤塩を形成してもよい。典型的な中和剤としては、水酸化物（例えばＮａＯＨ又はＫＯＨ）のような金属対イオン塩基が挙げられる。酸型の、本開示のアニオン性界面活性剤及び補助アニオン性界面活性剤又は補助界面活性剤を中和するための更に好ましい中和剤としては、アンモニア、アミン、又はアルカノールアミンが挙げられる。アルカノールアミンが好ましい。当該技術分野で既知のモノエタノールアミン、ジエタノールアミン、トリエタノールアミン、及び他の直鎖状若しくは分岐鎖状アルカノールアミンを含む好適な非限定的な例。例えば、かなり好ましいアルカノールアミンとしては、２−アミノ−１−プロパノール、１−アミノプロパノール、モノイソプロパノールアミン、又は１−アミノ−３−プロパノールが挙げられる。アミン中和は完全又は部分的に行われてもよく、例えばアニオン性界面活性剤の一部はナトリウム又はカリウムにより中和されてもよく、及びアニオン性界面活性剤の一部はアミン又はアルカノールアミンにより中和されてもよい。
【０１０３】
好ましい非イオン性界面活性剤は、Ｒ１（ＯＣ２Ｈ４）ｎＯＨの式で表されるものであり、式中、Ｒ１はＣ１０〜Ｃ１６のアルキル基又はＣ８〜Ｃ１２のアルキルフェニル基であり、ｎは３〜約８０である。特に好ましいのは、Ｃ１２〜Ｃ１５アルコールとアルコール１モル当たり約５〜約２０モルのエチレンオキシドとの縮合生成物であり、例えば、Ｃ１２〜Ｃ１３アルコールをアルコール１モル当たり約６．５モルのエチレンオキシドで縮合したものである。
【０１０４】
組成物は、５％〜約６０％、又は約１５％〜約５０％、又は約２０％〜約４５％の界面活性剤を含み得る。組成物は、界面活性剤を含んでもよく、界面活性剤は、約２０：１〜約１：３、又は約１５：１〜約１：２、又は約１２：１〜約３：１の重量比で、アニオン性界面活性剤及び非イオン性界面活性剤を含み、アニオン性界面活性剤は、１つ以上の脂肪酸、アルキルエーテル硫酸塩、アルキルベンゼンスルホン酸塩、又はこれらの組み合わせを含む。
【０１０５】
溶剤系
本発明の組成物における溶剤系は水だけ、又は有機溶剤と水との混合物を含有する溶剤系であることができる。好ましい有機溶剤としては、グリセロール、エチレングリコール、１，３プロパンジオール、１，２プロパンジオール、テトラメチレングリコール、ペンタメチレングリコール、ヘキサメチレングリコール、２，３−ブタンジオール、１，３ブタンジオール、ジエチレングリコール、トリエチレングリコール、ポリエチレングリコール、グリセロールホルマールジプロピレングリコール、ポリプロピレングリコール、ジプロピレングリコールｎ−ブチルエーテル、及びこれらの混合物、より好ましくは１，２−プロパンジオール、エタノール、グリセロール、ジプロピレングリコール、メチルプロパンジオール、及びこれらの混合物が挙げられる。また、他の低級アルコール、モノエタノールアミン及びトリエタノールアミンなどのＣ１〜Ｃ４アルカノールアミンを使用してもよい。溶剤系は、例えば本開示の無水固形物実施形態の実施例のように、なくてもよいが、より典型的には、組成物の約０．１重量％〜約９８重量％の範囲にある濃度で存在でき、好ましくは少なくとも約１重量％〜約５０重量％、より通常的には約５重量％〜約２５重量％で存在する。典型的には、本発明の組成物は、特に液体の形態で、組成物の５０重量％未満の水、好ましくは約０．１重量％〜約２０重量％の水、又はより好ましくは約０．５重量％〜約１５重量％、又は約５重量％〜約１２重量％の水を含む。液体を含む形態の場合、好ましい溶剤の範囲は、組成物の約５重量％〜約６０重量％、好ましくは約１０重量％〜約５０重量％、より好ましくは約２０重量％〜約４５重量％である。溶剤系は、好ましくは水とグリコールの混合物を含み、グリコールは、グリセロール、１，２，プロパンジオール、１．３，プロパンジオール、及びジプロピレングリコールを含む群から選択されてもよい。グリセロールは、組成物の総重量の約１５％未満、好ましくは約１０％未満の量で存在してよい。水とグリセロールの総結合量は、組成物の約３重量％〜約２０重量％、好ましくは約５重量％〜約１５重量％であってもよい。
【０１０６】
溶剤タイプと濃度の選択は、液体成分の相安定性、パウチの気密度／可撓性、パウチ強度を含む最終的なパウチの品質を制御し、フィルムを通しての化学物質の拡散を制御するために使用される。理論に束縛されることを望むものではないが、好ましい溶剤系（上記のとおり）は、フィルム可塑化の良好なバランスを保証すると考えられている。この系が、水及びグリセロールを含有しすぎると、パウチが柔らかくなりすぎ、濃度が低すぎると、パウチが脆性になりすぎになる場合がある。
【０１０７】
本明細書の組成物は、一般的に成分を共に混合することにより調製できる。パールエッセンス材を使用する場合、混合の後の方の段階で添加するべきである。レオロジー変性剤を使用する場合、レオロジー変性剤を、組成物を構成するために最終的に用いられる、水及び任意に他の成分の一部に分散させたプレミックスを最初に形成することが好ましい。プレミックスは、構造化された液体を形成するような方法で形成する。次に、この構造化したプレミックスを攪拌しながら添加することができ、水及びあらゆる任意の洗剤組成物補助剤と共に、界面活性剤及び必須の洗剤補助剤材料を使用できる。
【０１０８】
有用な組成物のｐＨは、約２〜約１２、約４〜約１２、約５．５〜約９．５、約６〜約８．５、又は約６．５〜約８．２であってもよい。洗濯洗剤組成物は、約６〜約１０、約６．５〜約８．５、約７〜約７．５、又は約８〜約１０のｐＨを有していてもよい。自動食器洗浄組成物は、約８〜約１２のｐＨを有していてもよい。洗濯洗剤添加剤組成物は、約４〜約８のｐＨを有することができる。布地柔軟剤は、約２若しくは４〜約８、又は約２〜約４、又は約２．５〜約３．５、又は約２．７〜約３．３のｐＨを有することができる。
【０１０９】
洗剤のｐＨは、２０±２℃における洗剤の１０％（重量／体積）水溶液のｐＨとして定義される。固形及び粉末洗剤に関しては、２０±２℃における洗剤の１％（重量／体積）水溶液のｐＨとして定義される。ｐＨを±０．０１ｐＨ単位まで測定することができる任意の計測器が好適である。Ｏｒｉｏｎ  ｍｅｔｅｒｓ（Ｔｈｅｒｍｏ  Ｓｃｉｅｎｔｉｆｉｃ，Ｃｌｉｎｔｉｎｐａｒｋ−Ｋｅｐｐｅｋｏｕｔｅｒ，Ｎｉｎｏｖｅｓｔｅｅｎｗｅｇ  １９８，９３２０  Ｅｒｅｍｂｏｄｅｇｅｍ−Ａａｌｓｔ，Ｂｅｌｇｉｕｍ）又は均等物が、許容可能な計器である。ｐＨ計は、カロメル又は銀／塩化銀基準を有する適切なガラス電極を備えていなければならない。例としては、Ｍｅｔｔｌｅｒ  ＤＢ  １１５が挙げられる。電極は、製造業者が推奨する電解質溶液に保存する必要がある。
【０１１０】
洗剤の１０％水溶液は、以下の手順に従って調製される。１０±０．０５グラムの試料を、±０．０２グラムまで正確に測定することができる天秤で計量する。試料は１００ｍＬのメスフラスコへ移されて、精製水（水の導電率が＜５□Ｓ／ｃｍである限り、脱イオン化された及び／又は蒸留された水が好適である）で容量まで希釈されて、十分に混合される。得られた溶液の約５０ｍＬをビーカーに注ぎ、温度を２０±２℃に調整し、ｐＨメータ製造業者の標準的な手順に従ってｐＨを測定する（製造業者の指示に従い、ｐＨアセンブリを設定及び較正することも重要である）。
【０１１１】
固体及び粉末洗剤では、以下の手順に従って洗剤の１％水溶液を調製する。試料１０±０．０５グラムを±０．０２グラムまで正確に測定できる天秤で計量する。試料を１０００ｍＬメスフラスコに移し、精製水（水の伝導度が＜５□Ｓ／ｃｍであれば、脱イオン水及び／又は蒸留水が好適である）で容量まで希釈し、十分に混合する。得られた溶液の約５０ｍＬをビーカーに注ぎ、温度を２０±２℃に調整し、ｐＨメータ製造業者の標準的な手順に従ってｐＨを測定する（製造業者の指示に従い、ｐＨアセンブリを設定及び較正することも重要である）。
【０１１２】
漂白剤
無機及び有機漂白剤は、本明細書において用いるのに好適な洗浄活性物質である。無機漂白剤には、過ホウ酸塩、過炭酸塩、過リン酸塩、過硫酸塩、及び過ケイ酸塩などの過水和塩が挙げられる。無機過水和塩は、通常、アルカリ金属塩である。無機過水和塩は、追加の保護なしの結晶性固体として含まれ得る。あるいは、塩は、当該技術分野において既知のとおりにコーティングされ得る。
【０１１３】
アルカリ金属過炭酸塩、特に過炭酸ナトリウムは、本明細書に記載される洗剤組成物で使用するための好ましい過酸化水素化物である。過炭酸塩は、最も好ましくは、製品内安定性を提供するコーティングされた形態で製品に組み込まれる。製品内安定性を提供する好適なコーティング材料は、水溶性アルカリ金属硫酸塩と炭酸塩との混合塩を含む。混合塩コーティング材料と過炭酸塩との重量比は、１：９９〜１：９、好ましくは１：４９〜１：１９の範囲内にある。好ましくは、混合塩は、一般式Ｎａ２ＳＯ４＋ｎ＋Ｎａ２ＣＯ３を有する硫酸ナトリウム及び炭酸ナトリウムのものである（式中、ｎは、０．１〜３、好ましくは０．３〜１．０、より好ましくは０．２〜０．５である）。製品安定性を提供する別の好適なコーティング材料は、ＳｉＯ２：Ｎａ２Ｏ比が１．８：１〜３．０：１、好ましくは１．８：１〜２．４：１であるケイ酸ナトリウム、及び／又はメタケイ酸ナトリウムを含み、好ましくはペルオキシモノ過硫酸カリウムのような無機過水和物塩の２重量％〜１０重量％、（通常３重量％〜５重量％）の水準でＳｉＯ２が適用される。ケイ酸マグネシウム、ケイ酸塩及びホウ酸塩、ケイ酸及びホウ酸、ワックス、油、脂肪石鹸を含有する他のコーティングもまた、本発明において有利に使用できる。
【０１１４】
有機漂白剤としては、ジアシル及びテトラアシルペルオキシドを含む有機ペルオキシ酸、特に、ジペルオキシドデカン二酸（diperoxydodecanedioc acid）、ジペルオキシテトラデカン二酸（diperoxytetradecanedioc acid）、及びジペルオキシヘキサデカン二酸（diperoxyhexadecanedioc acid）を挙げることができる。過酸化ジベンゾイルは、本明細書において好ましい有機ペルオキシ酸である。ジアシルペルオキシド、特にジベンゾイルペルオキシドは、約０．１〜約１００マイクロメートル、好ましくは約０．５〜約３０マイクロメートル、より好ましくは約１〜約１０マイクロメートルの重量平均径を有する粒子の形態で存在し得る。好ましくは、少なくとも約２５％〜１００％、より好ましくは少なくとも約５０％、更により好ましくは少なくとも約７５％、最も好ましくは少なくとも約９０％の粒子が、１０マイクロメートルより小さく、好ましくは６マイクロメートルより小さい。
【０１１５】
その他の有機漂白剤としては、ペルオキシ酸が挙げられ、特定の例は、アルキルペルオキシ酸及びアリールペルオキシ酸である。好ましい代表例は、（ａ）ペルオキシ安息香酸及びその環置換誘導体、例えば、アルキルペルオキシ安息香酸に加えて、ペルオキシ−α−ナフトエ酸及びモノ過フタル酸マグネシウム、（ｂ）脂肪族又は置換脂肪族ペルオキシ酸、例えば、ペルオキシラウリン酸、ペルオキシステアリン酸、ε−フタルイミドペルオキシカプロン酸［フタロイミノペルオキシへキサン酸（ＰＡＰ）］、ｏ−カルボキシベンズアミドペルオキシカプロン酸、Ｎ−ノネニルアミド過アジピン酸及びＮ−ノネニルアミド過コハク酸、並びに（ｃ）脂肪族及び芳香脂肪族ペルオキシジカルボン酸、例えば、１，１２−ジペルオキシカルボン酸、１，９−ジペルオキシアゼライン酸、ジペルオキシセバシン酸、ジペルオキシブラシル酸、ジペルオキシフタル酸、２−デシルジペルオキシブタン−１，４−二酸、Ｎ，Ｎ−テレフタロイルジ（６−アミノ過カプロン酸）である。
【０１１６】
漂白活性化剤は、一般的に、６０℃以下の温度での洗浄過程において漂白作用を増強する有機過酸前駆体であり得る。本明細書における使用に好適な漂白活性化剤は、過加水分解条件下で、好ましくは１〜１０個の炭素原子、特に２〜４個の炭素原子を有する脂肪族ペルオキシカルボン酸、及び／又は任意に置換過安息香酸を生成する化合物を含む。好適な物質は、炭素原子の数が指定されているＯ−アシル基及び／若しくはＮ−アシル基並び／又は任意に置換ベンゾイル基を有する。好ましいのは、ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にｎ−ノナノイル−又はイソノナノイルオキシベンゼンスルホネート（ｎ−又はイソ−ＮＯＢＳ）、無水カルボン酸、特に無水フタル酸、アシル化多価アルコール、特にトリアセチン、二酢酸エチレングリコール及び２，５−ジアセトキシ−２，５−ジヒドロフラン、更にはトリエチルアセチルクエン酸塩（ＴＥＡＣ）である。
【０１１７】
本明細書での洗剤組成物で使用するために好ましい漂白触媒としては、マンガントリアザシクロノナン及び関連する錯体、Ｃｏ、Ｃｕ、Ｍｎ及びＦｅビスピリジルアミン及び関連する錯体、並びにペンタミン酢酸コバルト（ＩＩＩ）及び関連する錯体が挙げられる。
【０１１８】
食器洗浄剤
自動食器洗い用洗剤で使用するための好ましい界面活性剤は、それ自体が低起泡性である、又は他の構成成分（例えば、泡抑制剤）と組み合わされる。本明細書に用いるのに好ましいのは、低及び高曇点非イオン性界面活性剤、並びにこれらの混合物であり、非イオン性アルコキシル化界面活（特にＣ６〜Ｃ１８一級アルコールから誘導されるエトキシレート）、エトキシル化−プロポキシル化アルコール（例えば、Ｏｌｉｎ  ＣｏｒｐｏｒａｔｉｏｎのＰｏｌｙ−Ｔｅｒｇｅｎｔ（登録商標）ＳＬＦ１８）、エポキシ末端保護ポリ（オキシアルキル化）アルコール（例えば、Ｏｌｉｎ  ＣｏｒｐｏｒａｔｉｏｎのＰｏｌｙ−Ｔｅｒｇｅｎｔ（登録商標）ＳＬＦ１８Ｂ、国際公開第Ａ−９４／２２８００号を参照）、エーテル末端保護ポリ（オキシアルキル化）アルコール界面活性剤、及びＢＡＳＦ−Ｗｙａｎｄｏｔｔｅ  Ｃｏｒｐ．（Ｗｙａｎｄｏｔｔｅ，Ｍｉｃｈｉｇａｎ）によるＰＬＵＲＯＮＩＣ（登録商標）、ＲＥＶＥＲＳＥＤ  ＰＬＵＲＯＮＩＣ（登録商標）、及びＴＥＴＲＯＮＩＣ（登録商標）のようなブロックポリオキシエチレン−ポリオキシプロピレンポリマー化合物、Ｃ１２〜Ｃ２０アルキルアミンオキシ（本明細書に用いるのに好ましいアミンオキシドとしては、ラウリルジメチルアミンオキシド及びヘキサデシルジメチルアミンオキシドが挙げられる）のような両性界面活性剤、並びにＭｉｒａｎｏｌ（商標）Ｃ２Ｍのようなアルキルアンホカルボン酸界面活性剤、ベタイン及びスルタインのような双極性界面活性剤、並びにこれらの混合物が挙げられる。界面活性剤は、洗剤組成物の約０．２重量％〜約３０重量％、より好ましくは約０．５重量％〜約１０重量％、最も好ましくは約１重量％〜約５重量％の濃度で存在し得る。
【０１１９】
他の組成物及び添加剤
本明細書に記載される洗剤組成物で使用するために好適なビルダーとしては、クエン酸塩、炭酸塩、ケイ酸塩、及びポリリン酸塩、例えば、トリポリリン酸ナトリウム及びトリポリリン酸ナトリウム六水和物、トリポリリン酸カリウム、並びにトリポリリン酸ナトリウム及びカリウムの混合塩のような水溶性ビルダーが挙げられる。
【０１２０】
消費者製品は、洗浄性能及び／又は布地ケア効果を提供する１つ以上の酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、例えば、プロテアーゼ及びリパーゼをアミラーゼと共に含んでよい酵素カクテルである。追加の酵素は、消費者製品中に存在する場合、消費者製品の約０．００００１重量％〜約２重量％、約０．０００１重量％〜約１重量％、又は更には約０．００１重量％〜約０．５重量％の酵素タンパク質の濃度で存在してよい。
【０１２１】
酵素は、プロテアーゼを含んでもよい。好適なプロテアーゼとしては、メタロプロテアーゼ及びセリンプロテアーゼが挙げられ、例えば、サブチリシン（ＥＣ  ３．４．２１．６２）などの中性又はアルカリ性微生物セリンプロテアーゼを含む。好適なプロテアーゼとしては、動物、植物、又は微生物起源のものが挙げられる。一態様では、このような好適なプロテアーゼは、微生物起源のものであってもよい。好適なプロテアーゼとしては、前述の好適なプロテアーゼの化学的又は遺伝的に改変された突然変異体が挙げられる。好適なプロテアーゼは、例えば、アルカリ性微生物プロテアーゼ又は／及びトリプシン型プロテアーゼのような、セリンプロテアーゼであり得る。好適な中性又はアルカリ性プロテアーゼの例としては、サブチリシン及びメタロプロテアーゼを含む。
【０１２２】
好ましいプロテアーゼとしては、バチルス・ギブソニイ、又はバシラス・レンタス、又はバチルス・アミロリケファシエンスに由来するものが挙げられ、及びＢＰＮ’、ＧＧ３６、及びＴＹ１４５主鎖に由来するものが挙げられる。
【０１２３】
好適な市販のプロテアーゼ酵素としては、商標名Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｂｌａｚｅ（登録商標）、Ｅｖｅｒｌａｓｅ（登録商標）、及びＥｓｐｅｒａｓｅ（登録商標）でＮｏｖｏｚｙｍｅｓ  Ａ／Ｓ（Ｄｅｎｍａｒｋ）により販売されているもの、商標名Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、Ｕｌｔｉｍａｓｅ（登録商標）、Ｐｕｒａｆｅｃｔ  ＯＸＰ（登録商標）、及びＰｒｅｆｅｒｅｎｚ  Ｐ（登録商標）シリーズで、ＤｕＰｏｎｔ  Ｉｎｔｅｒｎａｔｉｏｎａｌ  Ｂｉｏｓｃｉｅｎｃｅｓにより販売されているものが挙げられる。
【０１２４】
好適なα−アミラーゼとしては、細菌又は真菌起源のものが挙げられる。化学的又は遺伝的に改変された突然変異体（変異体）が含まれる。好ましいアルカリ性α−アミラーゼは、バチルスの菌種から、例えば、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、又は他のバチラス種、例えばバチルス種、ＮＣＩＢ  １２２８９、ＮＣＩＢ  １２５１２、ＮＣＩＢ  １２５１３、ＤＳＭ  ９３７５、ＤＳＭ  １２３６８、ＤＳＭＺ  ｎｏ．１２６４９、ＫＳＭ  ＡＰ１３７８、ＫＳＭ  Ｋ３６、若しくはＫＳＭ  Ｋ３８などの、バチルスの菌株に由来する。好ましいアミラーゼとしては、ＡＡ５６０、ｓｐ７２２、ＴＳ２３、ＡｍｙＥ、及びｓｐ７０７主鎖に由来するものが挙げられ、好ましくはこのアミラーゼは、少なくとも７０％、好ましくは８０％、又は８５％、又は９０％、又は９５％、又は９８％、又は９９％、又は１００％でこれらの主鎖と同一性を示す親主鎖からの突然変異を含む。
【０１２５】
好適な市販のα−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）及びＢＡＮ（登録商標）（Ｎｏｖｏｚｙｍｅｓ  Ａ／Ｓ（Ｂａｇｓｖａｅｒｄ，Ｄｅｎｍａｒｋ））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨＷｅｈｌｉｓｔｒａｓｓｅ  ２７ｂ  Ａ−１２００  Ｗｉｅｎ  Ａｕｓｔｒｉａ）、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）及びＰＵＲＡＳＴＡＲ  ＯＸＡＭ（登録商標）、ＰＲＥＦＥＲＥＮＺ  Ｓ１０００及びＰＲＥＦＥＲＥＮＺ  Ｓ１１０を含むＰＲＥＦＥＲＥＮＺ（登録商標）Ｓシリーズ（ＤｕＰｏｎｔ  Ｉｎｄｕｓｔｒｉａｌ  Ｂｉｏｓｃｉｅｎｃｅｓ，Ｐａｌｏ  Ａｌｔｏ，Ｃａｌｉｆｏｒｎｉａ）；並びにＫＡＭ（登録商標）（花王株式会社（日本、１０３−８２１０、東京都中央区日本橋茅場町１丁目１４−１０））が挙げられる。一態様では、好適なアミラーゼとしては、ＮＡＴＡＬＡＳＥ（登録商標）、ＥＶＥＲＥＳＴ（登録商標）、ＰＲＥＦＥＲＥＮＺ  Ｓ１０００（登録商標）、ＰＲＥＦＥＲＥＮＺ  Ｓ２０００（登録商標）、ＳＴＡＩＮＺＹＭＥ（登録商標）及びＳＴＡＩＮＺＹＭＥ  ＰＬＵＳ（登録商標）、並びにこれらの混合物が挙げられる。
【０１２６】
Ｔ酵素は、米国特許第６，９３９，７０２（Ｂ１）号、及び米国特許出願公開第２００９／０２１７４６４号に記載されているものなどの「第１サイクルリパーゼ」を含むリパーゼを含んでもよい。リパーゼは、第１の洗浄用リパーゼ、好ましくは、Ｔ２３１Ｒ及びＮ２３３Ｒ突然変異のうちの１つ以上を含んでもよく、サーモマイセス・ラヌギノサス（Ｔｈｅｒｍｏｍｙｃｅｓ  ｌａｎｕｇｉｎｏｓｕｓ）由来の野生型リパーゼの変異体であってもよい。野生型配列は、Ｓｗｉｓｓｐｒｏｔアクセッション番号Ｓｗｉｓｓ−Ｐｒｏｔ  Ｏ５９９５２（サーモマイセス・ラヌギノサス（Ｔｈｅｒｍｏｍｙｃｅｓ  ｌａｎｕｇｉｎｏｓｕｓ）（フミコーラ・ラヌギノサ（Ｈｕｍｉｃｏｌａ  ｌａｎｕｇｉｎｏｓａ）由来）の２６９個のアミノ酸（アミノ酸２３〜２９１）である。好ましいリパーゼとしては、商標名Ｌｉｐｅｘ（登録商標）、Ｌｉｐｏｃｌｅａｎ（登録商標）、Ｌｉｐｅｘ  Ｅｖｉｔｙ（登録商標）、Ｃａｌｉｐｓｏ（登録商標）、及びＬｉｐｏｌｅｘ（登録商標）で販売されているものが挙げられる。
【０１２７】
他の好ましい酵素としては、エンド−β−１，４−グルカナーゼ活性（Ｅ．Ｃ．３．２．１．４）を呈する真菌及び微生物由来のエンドグルカナーゼが挙げられる。好適なエンドグルカナーゼは、商標名Ｃｅｌｌｕｃｌｅａｎ（登録商標）、Ｃｅｌｌｕｃｌｅａｎ  Ｃｌａｓｓｉｃ、Ｃａｒｅｚｙｍｅ（登録商標）Ｐｒｅｍｉｕｍ、Ｃａｒｅｚｙｍｅ（登録商標）、Ｃｅｌｌｕｚｙｍｅ（登録商標）、Ｃａｒｅｚｙｍｅ  Ｐｒｅｍｉｕｍ（登録商標）、及びＷｈｉｔｅｚｙｍｅ（登録商標）（Ｎｏｖｏｚｙｍｅｓ  Ａ／Ｓ，Ｂａｇｓｖａｅｒｄ，Ｄｅｎｍａｒｋ）、又は商標名Ｐｕｒａｄａｘ（商標）、及び／若しくはＲｅｖｉｔａｌｅｎｚ（商標）（ＤｕＰｏｎｔ）で販売されている。
【０１２８】
他の好ましい酵素としては、商標名Ｐｅｃｔａｗａｓｈ（登録商標）、Ｐｅｃｔａｗａｙ（登録商標）、Ｘｐｅｃｔ（登録商標）として販売されているペクチン酸リアーゼ、並びに商標名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）製）、並びにＰｒｅｆｅｒｅｎｚ  Ｆ（登録商標）及びＰｕｒａｂｒｉｔｅ（登録商標）（ＤｕＰｏｎｔ  Ｉｎｔｅｒｎａｔｉｏｎａｌ  Ｂｉｏｓｃｉｅｎｃｅｓ，Ｐａｌｏ  Ａｌｔｏ，Ｃａｌｉｆｏｒｎｉａ）として販売されているマンナナーゼが挙げられる。
【０１２９】
好適な酵素混合物としては、Ｐｒｅｆｅｒｅｎｚ（商標）、Ｓｍａｒｔｅｎｚ（商標）、Ｓｈａｒｐｅｎｚ（商標）、Ｅｘｃｅｌｌｅｎｚ（商標）、Ｍａｒｖｅｌｌｅｎｚ（商標）、Ｒｅｎｅｗｅｎｚ（商標）、Ｒｅｖｉｔａｌｅｎｚ（商標）、及びＥｆｆｅｃｔｅｎｚ（商標）の範囲、並びにＭｅｄｌｅｙ（登録商標）（Ｎｏｖｏｚｙｍｅｓ  Ａ／Ｓ）の範囲で販売されるようなものが挙げられる。
【０１３０】
家庭用ケア組成物で使用するための酵素は、様々な技法によって安定化できる。本明細書に用いられる酵素は、カルシウムイオン及び／又はマグネシウムイオンを酵素に供給する最終布地ケア製品及びホームケア製品中に、それらのイオンの水溶性供給源を存在させることよって安定化させることができる。プロテアーゼを含む水性消費者製品の場合、ペプチドアルデヒド、又はホウ酸塩を含むホウ素化合物、４−ホルミルフェニルボロン酸、フェニルボロン酸、及びこれらの誘導体、又はギ酸カルシウム、ギ酸ナトリウム及び１，２−プロパンジオールのような化合物といった、可逆的プロテアーゼ阻害剤を加えて、更に安定性を向上させることができる。
【０１３１】
組成物は、布地色相剤を含み得る。好適な布地色相剤としては、染料、染料−粘土複合体、及び顔料が挙げられる。好適な染料としては、小分子染料及びポリマー染料が挙げられる。好適な小分子染料としては、ダイレクトブルー、ダイレクトレッド、ダイレクトバイオレット、アシッドブルー、アッシドレッド、アッシドバイオレット、ベーシックブルー、ベーシックバイオレット、及びベーシックレッドの色指数（Colour Index、Ｃ．Ｉ．）分類に区分される染料、又はこれらの混合物からなる群から選択される小分子染料が挙げられる。好ましい染料としては、アルコキシル化アゾチオフェン、ソルベントバイオレット１３、アシッドバイオレット５０、及びダイレクトバイオレット９が挙げられる。
【０１３２】
組成物は、カプセル化剤を含み得る。一態様では、カプセル化剤は、コアと、内面及び外面を有するシェルと、を含み、シェルは、コアをカプセル化する。コアは、香料を含んでもよい。シェルは、メラミンホルムアルデヒド及び／又は架橋メラミンホルムアルデヒドを含んでもよい。シェルは、ポリアクリレートポリマーを含んでもよい。
【０１３３】
好適なカプセル化剤は、コア材料及びシェルを含んでよく、そのシェルは、そのコア材料を少なくとも部分的に取り囲む。このカプセル化剤の少なくとも７５％、８５％、又は更には９０％が、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度、並びに０％〜約３０％、０％〜約２０％、又は更には０％〜約５％の有益剤漏出率を有してもよい。一態様では、このカプセル化剤の少なくとも７５％、８５％、又は更には９０％が、約１マイクロメートル〜約８０マイクロメートル、約５マイクロメートル〜６０マイクロメートル、約１０マイクロメートル〜約５０マイクロメートル、又は更には約１５マイクロメートル〜約４０マイクロメートルの粒径を有してもよい。一態様では、このカプセル化剤の少なくとも７５％、８５％、又は更には９０％が、約３０ｎｍ〜約２５０ｎｍ、約８０ｎｍ〜約１８０ｎｍ、又は更には約１００ｎｍ〜約１６０ｎｍの粒子壁厚を有し得る。
【０１３４】
一態様では、カプセル化剤のコア材料は、香料原材料からなる群から選択される材料、及び／又は任意で、以下からなる群から選択される材料を含み得る：ヒマシ油、ココナッツ油、綿実油、菜種油、大豆油、トウモロコシ油、ヤシ油、亜麻仁油、ベニバナ油、オリーブ油、ピーナッツ油、ココナッツ油、パーム核油、ヒマシ油、レモン油及びこれらの混合物を含むストレート及び／又はブレンド植物油を含む植物油；植物油のエステル（エステルは、アジピン酸ジブチル、フタル酸ジブチル、アジピン酸ブチルベンジル、アジピン酸ベンジルオクチル、リン酸トリクレジル、リン酸トリオクチル、及びこれらの混合物を含む）；約８０℃を超える沸点を有する直鎖又は分枝鎖炭化水素を含む、直鎖又は分枝鎖炭化水素；部分的に水素化したテルフェニル、フタル酸ジアルキル、モノイソプロピルビフェニルを含むアルキルジフェニル、ジプロピルナフタレンを含むアルキル化ナフタレン、灯油、鉱油、及びこれらの混合物を含むペトロリウムスピリット；ベンゼン、トルエン、及びこれらの混合物を含む芳香族溶剤；シリコーンオイル；並びにこれらの混合物。
【０１３５】
この組成物はまた、沈着助剤、好ましくはカチオン性又は非イオン性ポリマーを含む群からなる沈着助剤を含むことができる。好適なポリマーとしては、カチオンデンプン、カチオン性ヒドロキシエチルセルロース、ポリビニルホルムアルデヒド、ローカストビーンガム、マンナン、キシログルカン、タマリンドガム、ポリエチレンテレフタレート、並びに任意にアクリル酸及びアクリルアミドを含む群から選択される１つ又はモノマーと共にジメチルアミノエチルメタクリレートを含有するポリマーが挙げられる。
【０１３６】
本明細書に記載される洗剤組成物で使用するために適した泡抑制剤には、低曇点を有する非イオン性界面活性剤が挙げられる。本明細書において使用する場合、「曇点」とは、温度が上昇するにつれて界面活性剤の溶解性が低下する結果となる非イオン性界面活性剤の周知の特性であり、第２相の出現が観察できる温度を、「曇点」と呼ぶ。本明細書で使用する場合、「低曇点」非イオン性界面活性剤とは、３０℃未満、好ましくは約２０℃未満、更により好ましくは約１０℃未満、及び最も好ましくは約７．５℃未満の曇点を有する非イオン性界面活性剤系成分として定義される。低曇点の非イオン性界面活性剤としては、非イオン性アルコキシル化界面活性剤、特に第一級アルコールから誘導されるエトキシレート、及びポリオキシプロピレン／ポリオキシエチレン／ポリオキシプロピレン（ＰＯ／ＥＯ／ＰＯ）リバースブロックポリマーを挙げることができる。また、このような低曇点の非イオン性界面活性剤としては、例えば、エトキシル化−プロポキシル化アルコール（例えば、ＢＡＳＦのＰｏｌｙ−Ｔｅｒｇｅｎｔ  ＳＬＦ１８）及びエポキシ末端処理ポリ（オキシアルキル化）アルコール（例えば、非イオン性のＢＡＳＦのＰｏｌｙ−Ｔｅｒｇｅｎｔ  ＳＬＦ１８Ｂシリーズ）を挙げることができる。
【０１３７】
本明細書に記載される家庭用ケア組成物中で使用するための他の好適な構成要素としては、再付着防特性、汚れ放出特性、又はその他の洗浄特性を有する洗浄ポリマーが挙げられる。本明細書に用いる再析出防止ポリマーとしては、Ｓｏｋａｌａｎ  ＰＡ３０、ＰＡ２０、ＰＡ１５、ＰＡ１０、並びにＳｏｋａｌａｎ  ＣＰ１０（ＢＡＳＦ  ＧｍｂＨ）、Ａｃｕｓｏｌ  ４５Ｎ、４８０Ｎ、４６０Ｎ（Ｒｏｈｍ  ａｎｄ  Ｈａａｓ）、Ｓｏｋａｌａｎ  ＣＰ５などのアクリル酸／マレイン酸コポリマー、及びアクリル／メタクリルコポリマーなどのアクリル酸含有ポリマーが挙げられる。家庭用ケア組成物は、布地及び表面からグリース粒子を除去するように、親水性と疎水性が釣り合っている両親媒性アルコキシル化グリース洗浄ポリマーを含んでよい。本開示の両親媒性アルコキシル化グリース洗浄ポリマーは、コア構造及びそのコア構造に結合した複数のアルコキシレート基（alkoxylate group）を含んでもよい。好適なポリマーとしては、任意に四級化され得る、アルコキシル化ポリアルキレンイミン（例えば、ＰＥＩ６００  ＥＯ２０及び／又はエトキシ硫酸化ヘキサメチレンジアミンジメチル第四級アンモニウム化合物）などのアミン系ポリマーが挙げられる。その他のポリマーは、内側ポリエチレンオキシドブロック及び外側ポリプロピレンオキシドブロックを有するアルコキシル化ポリアルキレンイミンを含んでいてもよい。本明細書に用いるのに好ましい汚れ放出ポリマーとしては、アルキル及びヒドロキシアルキルセルロース、ポリオキシエチレン、ポリオキシプロピレン及びこれらのコポリマー、並びにエチレングリコール、プロピレングリコール及びこれらの混合物のテレフタレートエステルをベースとする、非イオン性及びアニオン性ポリマーが挙げられる。
【０１３８】
構造化液体は、内部的に構造化することによって、一次成分（例えば界面活性剤物質）によってその構造を形成することも、及び／又は、二次成分（例えば、ポリマー、粘土、及び／又はケイ酸塩材料）を用いて、三次元マトリックス構造をもたらすことによって、外部的に構造化することもできる。本組成物は、構造化剤を含んでいてよく、好ましくは、０．０１重量％〜５重量％、０．１重量％〜２．０重量％の構造化剤を含んでもよい。構造剤は典型的には、ジグリセリド、トリグリセリド、エチレングリコールジステアレート、微結晶性セルロース、セルロース系物質、微細繊維セルロース、Ｐｏｌｙｇｅｌ  Ｗ３０（３ＶＳｉｇｍａ）などの疎水変性アルカリ膨潤性エマルジョン、バイオポリマー、キサンタンガム、ジェランガム、及びこれらの混合物からなる群から選択する。好適な構造剤としては、硬化ヒマシ油、及びその非エトキシル化誘導体が挙げられる。このような構造化剤は、ある範囲のアスペクト比を有する糸様構造系を有する。
【０１３９】
また重金属イオン封鎖剤及び結晶成長阻害剤、例えば、塩及び遊離酸形態のジエチレントリアミンペンタ（メチレンホスホネート）、エチレンジアミンテトラ（メチレンホスホネート）ヘキサメチレンジアミンテトラ（メチレンホスホネート）、エチレンジホスホネート、ヒドロキシ−エチレン−１，１−ジホスホネート、ニトリロトリアセテート、エチレンジアミノテトラアセテート、エチレンジアミン−Ｎ，Ｎ’−ジサクシネートもまた、洗剤での使用に適している。
【０１４０】
同様に本明細書に記載される洗剤組成物で使用するために適しているのは、例えば、有機銀コーティング剤（特に、Ｗｉｎｔｅｒｓｈａｌｌ（Ｓａｌｚｂｅｒｇｅｎ，Ｇｅｒｍａｎｙ）から販売されるＷＩＮＯＧ  ７０のようなパラフィン）、窒素含有腐食防止剤化合物（例えば、ベンゾトリアゾール及びベンズイミダゾール、並びにＭｎ（ＩＩ）化合物、特に有機配位子のＭｎ（ＩＩ）塩のような腐食防止剤である。
【０１４１】
本明細書での洗剤組成物で使用するための他の好適な構成要素としては、例えばカルシウムイオン、ホウ酸及びプロピレングリコールのような酵素安定剤が挙げられる。
【０１４２】
好適なすすぎ添加剤は、当該技術分野において既知である。典型的に、市販の食器洗浄用すすぎ補助剤は、低起泡性脂肪族アルコールポリエチレン／ポリプロピレングリコールエーテル、可溶化剤（例えば、クメンスルホネート）、有機酸（例えば、クエン酸）及び溶剤（例えば、エタノール）の混合物である。こうしたすすぎ補助剤の機能は、水滴、筋、又はフィルムが、以降の乾燥プロセス後に残らないように、薄い凝集性フィルムの形態ですすいだ表面から排出され得るような方法で水の界面張力に影響することである。すすぎ添加剤は、界面活性剤として混合エーテルを含有してもよい。柔軟仕上げ剤及び同類のもののようなすすぎ添加剤も同様に考えられ、本明細書の開示に従うフィルムへのカプセル化に好適である。
【０１４３】
パウチの製造方法
本開示は、パウチの製造又は形成方法に関する。一般に、この方法は、本明細書に記載されるような水溶性フィルムを提供することと、フィルムを成形し開放区画を形成することと、開放区画へ組成物を提供することと、開放区画を封止し、中に組成物が密閉された封止区画を有するパウチを形成することと、を含む。開放区画は、少なくとも第２の封止区画で封止されてよく、これにより重ねられた区画を有するパウチを形成する。これらの工程は、以下により詳細に記載されている。
【０１４４】
本明細書に記載されるパウチを形成するための方法は、フィルムを熱成形することを含んでもよい。したがって、このフィルムは、本明細書に記載されるように製造された水溶性フィルムの良好な熱成形性を特徴としてもよい。熱成形フィルムは、熱及び力の印加によって成形され得るフィルムである。
【０１４５】
フィルムを熱成形することは、フィルムを加熱し、成形型の中でこれを成形し、その後フィルムを冷却するプロセスであり、その結果、このフィルムは成形型の形状を保持することになる。熱は任意の好適な手段を使用して加えることができる。例えば、フィルムは、表面上に供給する前に、又は表面上に供給してすぐに加熱要素の下あるいは熱風の中を通過させることで直接加熱されてもよい。別の方法としては、フィルムは、例えば、表面を加熱するか、あるいはフィルム上に熱い物を適用することにより間接的に加熱されてもよい。フィルムは、赤外光を用いて加熱されてもよい。フィルムは、約５０〜約１５０℃、約５０〜約１２０℃、約６０〜約１３０℃、約７０〜約１２０℃、又は約６０〜約９０℃の温度まで加熱されてもよい。熱成形は、熱で軟化したフィルムを成形型上に手動でドレーピングするプロセス、又は圧力を誘発させて軟化したフィルムを成形型に成形するプロセス（例えば、真空成形）、又は正確な温度が既知のシートを成形及び仕上げステーションに新たに押出成形する自動高速割り出しプロセス、又はフィルムを自動配置し、プラグ及び／又は空気で伸張し、圧力成形するプロセスのいずれか１つ以上により実行され得る。
【０１４６】
あるいは、フィルムは、任意の好適な手段、例えば、フィルムを表面上に送り込む前に又はフィルムが表面上にある時点で、湿潤剤（水、フィルム組成物の溶液、フィルム組成物用の可塑剤、又はこれらの任意の組み合わせ）をフィルムに直接吹き付けることによって、又は表面を間接的に湿潤させることによって、あるいはフィルムの上に湿潤部材を適用することによって、湿潤させることができる。
【０１４７】
フィルムを加熱及び／又は湿潤後、好ましくは真空を使用して、フィルムを適切な成形型の中に引き込み、これにより開放区画を形成してもよい。家庭用ケア組成物などの組成物を、例えば、好適な充填ノズルを介して開放区画に提供してもよい。成形フィルムの充填は、任意の好適な手段を利用して達成され得る。最も好ましい方法は、製品の形状及び所要の充填速度によって異なるであろう。インライン充填技術によって成形フィルムを充填してよい。次いで、充填された開放区画は、任意の好適な方法によって、例えば第２のフィルムを使用することによって封止閉鎖され、中に組成物が密閉された封止区画を有するパウチを形成する。これは、水平位置にある間に連続的な定速運動で達成され得る。閉鎖は、開放パケットを覆って及びその上に第２のフィルム、好ましくは水溶性フィルムを連続的に供給し、次いで好ましくは、典型的には成形型と成形型との間、したがってパケットとパケットとの間の領域で第１のフィルムと第２のフィルムを共に封止することにより達成されてよい。
【０１４８】
パケット及び／又はその個々の区画を封止する任意の好適な方法を用いることができる。こうした手段の非限定的な例としては、加熱封止、溶剤溶着、溶剤又は湿式封止、及びこれらの組み合わせが挙げられる。典型的には、封止を形成することになる領域のみが熱又は溶剤により処理される。熱又は溶剤は、任意の方法により、典型的には閉鎖材料の上に、典型的には封止を形成することになる領域の上のみに適用され得る。溶剤若しくは湿式の封止又は溶着を用いる場合、熱も印加することが好ましい場合がある。好ましい湿式又は溶剤封止／溶着方法は、溶剤を成形型間、又は閉鎖材料上に、例えば、これをこれらの領域上に噴霧又は印刷することにより選択的に適用すること、次いで圧力をこれらの領域に適用して封止を形成することを含む。例えば、上記のとおり封止ロール及びベルト（任意に熱も提供する）を使用してよい。
【０１４９】
次いで、形成されたパウチを切断装置によって切断してもよい。切断は任意の既知の方法を用いて達成され得る。また、切り出しは、連続方式で、好ましくは一定速度で及び好ましくは水平位置にある間に行うことが好ましい場合がある。切断装置は、例えば、鋭利な物品、又は高温物品、又はレーザであってよく、後者の場合には、高温物品又はレーザがフィルム／封止領域を「焼き切る」。
【０１５０】
多区画パウチの異なる区画は、隣り合った様式で一緒に形成されてもよく、その場合、得られた接合しているパウチは、切断によって分離されてもよいし、されなくてもよい。あるいは、区画を別々に作製してもよい。
【０１５１】
パウチは、以下の工程を含むプロセスに従って製造してよい。ａ）第１の区画を形成する工程（上記のとおり）、ｂ）工程（ａ）で形成された閉じた区画の一部又は全ての内部に凹所を形成して、上記の第１の区画の上に重ねられた第２の成形区画を作り出す工程、ｃ）第３のフィルムを用いて、第２の区画を充填し、閉じる工程、ｄ）第１、第２、及び第３のフィルムを封止する工程、ｅ）フィルムを切断し、多区画パウチを製造する工程。工程（ｂ）で形成される凹所は、工程（ａ）で調製された区画に真空を適用することによって得ることができる。
【０１５２】
第２及び／又は第３の区画（複数）は、別個の工程で製造され、次いで、第１の区画に結合することができる。
【０１５３】
パウチは、以下の工程を含むプロセスに従って製造してよい。ａ）第１の成形機械に第１のフィルムを用いて、任意に熱及び／又は真空を使用して、第１の区画を形成する工程、ｂ）第１の区画に第１の組成物を充填する工程、ｃ）第２の形成機械上で第２のフィルムを変形させて、任意に熱及び真空を使用して第２の及び任意に第３の成形区画を製造する工程、ｄ）第２及び任意に第３の区画を充填する工程、ｅ）第３のフィルムを用いて第２及び任意に第３の区画を封止する工程、ｆ）封止した第２の及び任意に第３の区画を第１の区画上に配置する工程、ｇ）第１、第２、及び任意に第３の区画を封止する工程、ｈ）フィルムを切断し、多区画パウチを製造する工程。
【０１５４】
第１及び第２の成形機械は、上記のプロセスを実施するための適合性に基づいて選択され得る。第１の成形機械は、水平成形機械であってよく、第２の成形機械は、例えば第１の成形機械上に配置された、回転ドラム成形機械であってよい。
【０１５５】
適切な供給ステーションの使用により、多数の異なる若しくは独特の組成物、及び／又は異なる若しくは独特の液体、ゲル、又はペースト組成物を組み込む、多区画パウチが製造可能であることは理解されるであろう。
【０１５６】
フィルム及び／又はパウチに、活性剤、潤滑剤、嫌悪剤、又はこれらの混合物などの好適な材料を噴霧又は粉付けしてもよい。フィルム及び／又はパウチは、例えば、インク及び／又は活性剤で、その上に印刷されてもよい。
【０１５７】
使用方法
本開示は更に、本明細書に記載されるパウチの使用方法に関する。例えば、本開示は、布地などの基材の処理方法に関する。
【０１５８】
本明細書に記載されるパウチ、及びそれに収容される組成物は、例えば、基材を、フィルム、物品、及び／又は中に収容される組成物と接触させることによって、基材、例えば、布地又は硬質面を処理する方法に使用されてもよい。本方法が、パウチを水と組み合わせることと、パウチのフィルムの少なくとも幾つかが、水の存在下で溶解できるようにすることと、その中に収容される組成物を、水で３００〜８００倍に希釈し、洗浄液を形成することと、及び／又は基材、好ましくは布地を洗浄液と接触させることと、を含んでもよく、処理される基材、好ましくは布地が、１つ以上の染みを含んでもよい。
【０１５９】
接触工程は、手動で、又は例えば、自動（縦型、又はドラム式）洗濯機又は自動食器洗い機などの自動機械中で実施してよい。接触工程は、水の存在下で実施してよく、温度は、最大約８０℃、又は最大約６０℃、又は最大約４０℃、又は最大約３０℃、又は最大約２０℃、又は最大約１５℃、又は最大約１０℃、又は最大約５℃であってよい。上記のように、本発明のフィルム及びそれから製造された物品は、特に、冷水溶解に適しており、これにより冷水（例えば、約１℃〜約３０℃、又は約５℃〜約２０℃）での洗浄に利点をもたらす。接触工程の後に、複数回のすすぎサイクル、又は更には単一のすすぎサイクルを行ってもよい。フィルムが、良好な溶解特性を有するため、フィルムの溶解及び／又はその中に収容される内容物の放出に必要な水が少なくなる。本発明によるパウチはまた、短時間の洗浄、又は急速洗浄サイクル、又は更には実際に感知された洗浄条件毎に機械が洗浄サイクルを適合させるスマートサイクルを進化させるために使用することができる。
【０１６０】
試験方法
以下の試験方法を用いて、本明細書に記載される特定の特性のいくつかを決定する。
【０１６１】
溶解チャンバ残留物試験
溶解チャンバ（ＤＣ）試験に従って、溶け残った残留物を特徴とする、又は未溶解の残留物を試験される水溶性フィルムを、下記の材料を用いて以下のとおり分析する。
１．ビーカー（４０００ｍｌ）、
２．ステンレス鋼ワッシャ（外径８８．９ｍｍ（３．５インチ）、内径４７．６ｍｍ（１．８７５インチ）、厚さ３．１８ｍｍ（０．１２５インチ））、
３．スチレンブタジエンゴムガスケット（外径８５．７ｍｍ（３．３７５インチ）、内径４８．５ｍｍ（１．９１インチ）、厚さ３．１８ｍｍ（０．１２５インチ））、
４．ステンレス鋼スクリーン（外径７６．２ｍｍ（３．０インチ）、２００×２００メッシュ、ワイヤ外径０．０５３ｍｍ（０．００２１インチ）、３０４ＳＳステンレス鋼ワイヤクロス）、
５．温度計（０℃〜１００℃、＋／−１℃の精度のもの）、
６．切断パンチ（直径３８．１ｍｍ（１．５インチ））、
７．タイマ（秒単位の精度のもの）、
８．逆浸透（Reverse osmosis、ＲＯ）水、
９．バインダークリップ（サイズ５番又はこれに相当するもの）、
１０．アルミニウムパン（外径５０．８ｍｍ（２．０インチ））、
１１．超音波発生装置。
【０１６２】
各試験フィルムのため、３つの試験片を、７６．２±２．５μｍ（又は３．０±０．１０ミル）の厚さを有する選択された試験フィルムから、切断パンチを用いて切り出す。フィルムウェブから切断する場合、ウェブの横断方向に沿って等しく離間したウェブの領域から試料を切断しなければならない。次いで、以下の手順を用いて各試験片を分析する。
１．フィルム試験片を計量し、試験を通して試験片を追跡する。初期フィルム重量（Ｆｏ）を記録する。
２．各試験片用の２組の超音波処理したきれいな乾燥したスクリーンを計量し、試験を通してスクリーンを追跡する。初期スクリーン重量（２枚のスクリーンを合わせた合計としてＳｏ）を記録する。
３．２枚のスクリーンの中央の間にフィルム試験片、続いて２つのゴムガスケット（スクリーンとワッシャの間の各側に１つにガスケット）、次いで２つのワッシャを平らに挟み込むことによって、試験片溶解チャンバを組み立てる。
４．溶解チャンバアセンブリを、ワッシャの周囲に等間隔で配置した４つのバインダークリップによって固定し、クリップを折り返す。
５．ビーカーを実験室温（２２＋／−２℃（７２＋／−３°Ｆ））で１，５００ｍＬの逆浸透（ＲＯ）水で満たし、室温を記録する。
６．タイマを所定の浸漬時間の５分に設定する。
７．溶解チャンバアセンブリをビーカーの中に置き、直ちにタイマをスタートさせ、溶解チャンバアセンブリを約４５°の進入角で水面に差し込む。この進入角は、チャンバから気泡の除去を促すものである。溶解チャンバアセンブリは、試験片フィルムがビーカーの底から約１０ｍｍの位置に水平に配置されるように、ビーカーの底に置かれる。溶解チャンバアセンブリの４つの折り返されたバインダークリップが、ビーカーの底から約１０ｍｍのフィルムのクリアランスを維持する上で適当であるが、他のいずれの同等の支持手段を使用することもできる。
８．所定の浸漬時間である５分が経過した時点で、溶解チャンバアセンブリを約４５°の角度でビーカーからゆっくりと取り出す。
９．溶解チャンバアセンブリをアルミニウムパンの上に水平に保持してスクリーンから垂れる液を全て捕捉し、バインダークリップ、ワッシャ、及びガスケットを慎重に取り出す。挟んだ状態のスクリーンを開かないようにする。
１０．挟んだ状態のスクリーン（すなわち、スクリーン／残留した溶け残ったフィルム／スクリーン）をアルミニウムパンの上に置き、オーブンに入れて１００℃で３０分間乾燥させる。
１１．内部に残留した溶け残ったフィルム全てを含む、乾燥させた、挟んだ状態のスクリーンの組を計量する。この乾燥スクリーン重量に、溶解チャンバアセンブリがビーカーから最初に取り出された際、及び乾燥中に、パンに捕捉され、パンから回収された（例えば、掻き取ることにより）乾燥フィルム滴下物を全て測定し加える。最終的な挟んだ状態のスクリーン重量を記録する（乾燥フィルム滴下物を含む合計としてＳｆ）。
１２．フィルム試験片について残った残留率（％）（「ＤＣ残留率」）を計算する：％ＤＣ残留率＝１００×（（Ｓｆ−Ｓｏ）／Ｆｏ）。
１３．挟んだ状態のスクリーンを逆浸透（ＲＯ）水のビーカー中に約２０分間浸漬することによってきれいにする。次いで、スクリーンを引き離し、超音波発生装置（スイッチを入れ、逆浸透（ＲＯ）水で満たす）中で少なくとも５分間、又はスクリーン上に残留物が見られなくなるまで最後のすすぎを行う。
【０１６３】
本開示に従う水溶性フィルムの好適な挙動は、ＤＣ試験によって測定した場合に、約４５重量％以下、又は約４８重量％以下のＤＣ残留率の値によって示される。水溶性フィルムは、少なくとも１、２、５、１０、若しくは２０重量％、及び／又は最大約１５、２０、３０、４０、４５重量％、若しくは４８重量％（例えば、約５重量％〜約４８重量％、約１０重量％〜約４５重量％、約２０重量％〜約４５重量％、又は約３０重量％〜約４０％）のＤＣ値を有してもよい。
【０１６４】
引張強度試験及び弾性率試験
引張強度（Tensile Strength、ＴＳ）試験に従った引張強度によって、及び弾性率（Modulus、ＭＯＤ）試験に従った弾性率（又は引張応力）を特徴とする、又はそれらについて試験される水溶性フィルムを、以下のように分析した。この手順は、ＡＳＴＭ  Ｄ  ８８２（「薄いプラスチックシートの引張特性の標準的試験方法」）、又は同等の方法に従って引張強度を測定すること、及び１００％伸長率における弾性率を測定することを含む。インストロン引張試験装置（モデル５５４４引張試験機又は同等の装置）を、フィルムデータの収集に使用する。最低でも３つの試験片を、寸法安定性及び再現性を保証するために信頼性の高い切断工具でそれぞれ切り出し、各測定において機械方向（machine direction、ＭＤ）（当てはまる場合）で試験する。試験は、２３±２．０℃かつ相対湿度３５±５％の標準的な実験室雰囲気中で実施する。引張強度及び弾性率の測定を行うため、厚さ７６．２±３．８μｍ（又は３．０±０．１５ミル）の１枚のフィルムシートから幅２．５４ｃｍ（１インチ）の試料を調製する。次いで、試料をＩＮＳＴＲＯＮ引張試験装置に移して、相対湿度３５％の環境への曝露を最小限に抑えつつ試験を行う。引張試験機は、５００Ｎロードセルを備え、製造者の指示に従って準備し、較正する。適正なグリップ及びフェース面を取り付ける（ゴムでコーティングされた幅２５ｍｍのモデル番号２７０２−０３２のフェース面を有するＩＮＳＴＲＯＮグリップ、又は同等のもの）。各試料を引張試験機内に取り付け、１００％弾性率（すなわち、１００％フィルム伸長率を得るのに要する応力）及び引張強度（すなわち、フィルムを破断するために要する応力）を測定するために分析を行う。
【０１６５】
所望により、フィルムは、フィルムを例えばフィルムパウチなどの物品へと加工するのに適した特定の機械的特性を特徴とすることができる。
【０１６６】
本開示に従った水溶性フィルムは、ＴＳ試験により測定したとき、少なくとも約２４ＭＰａ又は約２８ＭＰａのＴＳ値を特徴とすることができる。一般に、フィルムが封止の制限要素又は最も弱い要素である場合、ＴＳ値が高ければ、より強いパウチ封止になるため、より高いＴＳ値が望ましい。水溶性フィルムは、少なくとも約２４、２６、２８、３０、３３、若しくは３５ＭＰａ、及び／又は最大約３２、３４、４０、４５、若しくは５０ＭＰａ（例えば、約２４ＭＰａ〜約３６ＭＰａ、又は約２８ＭＰａ〜約３２ＭＰａ）のＴＳ値を有してもよい。代替的又は追加的に、好適なＴＳ値範囲の上限は、ＰＶＯＨ樹脂ブレンド中のＰＶＯＨポリマー及びＰＶＯＨコポリマーのうち単一のＰＶＯＨポリマー又はＰＶＯＨコポリマーのみを有する対応する水溶性フィルム（例えば、より高いＴＳ値を有する対応する単一樹脂フィルム）のＴＳ値であってもよい。
【０１６７】
本開示に従った水溶性フィルムは、ＭＯＤ試験により測定したとき、少なくとも約１１Ｎ／ｍｍ２又は約１２Ｎ／ｍｍ２のＭＯＤ値を特徴とすることができる。一般に、ＭＯＤ値が高ければ、パウチの剛性がより大きくなり、製造中、又は最終消費者包装において、相互に積み重ねられたときに変形したり、互いに付着したりする可能性が低下するため、より高いＭＯＤ値が望ましい。水溶性フィルムは、少なくとも約１１、１２、若しくは１３Ｎ／ｍｍ２及び／又は最大約１３、１４、１５、若しくは１６Ｎ／ｍｍ２（例えば、約１１Ｎ／ｍｍ２〜約１５Ｎ／ｍｍ２又は約１２Ｎ／ｍｍ２〜約１４Ｎ／ｍｍ２）のＭＯＤ値を有してもよい。代替的又は追加的に、好適なＭＯＤ値範囲の上限は、ＰＶＯＨ樹脂ブレンド中のＰＶＯＨポリマー及びＰＶＯＨコポリマーのうち単一のＰＶＯＨポリマー又はＰＶＯＨコポリマーのみを有する対応する水溶性フィルム（例えば、より高いＭＯＤ値を有する対応する単一樹脂フィルム）のＭＯＤ値であってもよい。
【０１６８】
パウチ強度試験方法
本試験方法は、Ｉｎｓｔｒｏｎユニバーサル材料試験機（Ｉｎｓｔｒｏｎ  Ｉｎｄｕｓｔｒｉａｌ  Ｐｒｏｄｕｃｔｓ，８２５  Ｕｎｉｖｅｒｓｉｔｙ  Ａｖｅ．，Ｎｏｒｗｏｏｄ，ＭＡ  ０２０６２−２６４３）を用いて、最大１００ｋＮ（キロニュートン）のロードセルでパウチ強度を測定する手法について記載する。パウチを圧縮することにより、この方法で、フィルム及び封止領域に加圧し、パウチの全体的な強度（ニュートン）を測定する。パウチ強度（ニュートン）は、パウチが破断する前に支持可能な最大荷重として定義される。
【０１６９】
フィルム／パウチは、変換後に設定する時間を有するように、パウチ強度は、パウチ製造後１時間以内に測定される。本方法は、４０〜５０％の相対湿度（relative humidity、ＲＨ）及び２２〜２４℃の間の室内環境で実施する。保管されたパウチは、試験に先立ち、１時間試験室環境に再平衡させることができる。
【０１７０】
図３は、パウチ強度試験の基本構成の略図である。パウチ強度を測定するため、パウチ５１０をプラスチック脱気バッグ５００（クロージャ付き１５０ｍｍ×１２４ｍｍ、６０マイクロメートル厚、例えばＲａｊａグリップシールバッグＲＧＰ６Ｂ）中に密閉し、パウチの破断による作業環境の汚染を防ぐ。バッグ内への密閉後、パウチ５１０を試験機の２つの圧縮板５２０、５３０の間の中心に置く。パウチ５１０は、応力が封止幅にかかるように、封止寸法幅５４０（実際に試験したパウチでは４３ｍｍ）が、圧力板の間になるように立位で置かれる。圧縮時には、プレート５２０、５３０の速度を６０ｍｍ／分に設定する。パウチが破損すると、試験機が自動でパウチ強度値（すなわち、パウチが破損するときの力）を記録する。テストレッグ毎に１０回の繰り返しを行い、平均のパウチ強度データを報告する。
【０１７１】
本開示に従ったパウチは、以下の条件のうちの１つ以上の下で測定した場合、少なくとも約２００Ｎ、又は少なくとも約２５０Ｎの平均パウチ強度値を特徴とすることができる。（ａ）製造後１時間（４０〜５０％  ＲＨの間、及び２２〜２４℃の間で保管されたフレッシュな値）、（ｂ）４週間２０℃で保管後（４０〜５０％  ＲＨ）、及び／又は（ｃ）４週間３２℃で保管後（８０％  ＲＨ）。本開示に従ったパウチの集団は、以下の条件のうちの１つ以上の下でパウチ強度を測定した場合、１％を超えない、又は５％を超えない、又は１０％を超えない、又は２０％を超えない、又は２５％を超えない、又は４０％を超えない、又は５０％を超えない、約２００Ｎ未満、又は約２５０Ｎ未満のパウチ強度を有する集団を含んでもよい。（ａ）製造後１時間（４０〜５０％  ＲＨの間、及び２２〜２４℃の間で保管されたフレッシュな値）、（ｂ）４週間２０℃で保管後（４０〜５０％  ＲＨ）、及び／又は（ｃ）４週間３２℃で保管後（８０％  ＲＨ）。
【実施例】
【０１７２】
以下の実施例は、事実上例示的なものであり、制限的であることを意図したものではない。
【０１７３】
実施例１−パウチ強度データ。
パウチ強度関連データを、上記のパウチ強度試験方法に従って収集した。特定のパウチ、家庭用ケア組成物、及びフィルムは、以下により詳細に記載されている。
【０１７４】
水溶性パウチ：
２０１６年４月から英国で市販されているＰｒｏｃｔｅｒ  ＆  Ｇａｍｂｌｅ  Ｃｏｍｐａｎｙ製のアリエールジェルボール３Ｄ（Ａｒｉｅｌ  ３−ｉｎ−１  Ｐｏｄｓ）と同じ形状の多区画水溶性パウチが、１つのレーンコンバーター上で、第１の水溶性フィルム（以下に記載）を１２０℃まで予熱し、続いて、第１のフィルムを真空（２２ｋＰａ（２２０ｍｂａｒ））でキャビティ中に引き込むことを含む熱真空成形によって製造された。下部区画には、以下に記載される液体洗剤が充填され、したがって充填された区画は、別々に調製された上部区画の底部フィルムに水を塗布することによる溶剤封止によって閉じられた。上部区画は、予熱した（１２０℃）第２の水溶性フィルムを真空（２２ｋＰａ（２２０ｍｂａｒ））でキャビティ中に引き込み、区画を充填し、充填した開放上部区画を第３の水溶性フィルムで水による溶剤封止によって閉じることにより、回転ドラム上で調製した。第３の水溶性フィルムは最終的に、最終の重ねられた多区画パウチ製品中の中間フィルムとなる。材料の予備コンディショニング（少なくとも１時間）及びパウチ製造は、３５％  ＲＨ及び２２〜２４℃の間の室内環境で実施された。
【０１７５】
異なるパウチ形成キャビティを使用し、以下に記載されるフィルム１及びフィルム２をそれぞれ用いてパウチを形成した。フィルム１の熱成形に使用したキャビティは、約２０ｍｍの深さで、フィルム２の熱成形に使用したキャビティは、約１５ｍｍの深さであった。各パウチのフットプリント（４１×４３ｍｍ）は同じであった。キャビティ深さの違いにより、得られるパウチの底部区画の容積が異なった。約２５ｍＬの液体洗剤を、フィルム１から製造したパウチに加え、約１５ｍＬの液体洗剤を、フィルム２から製造したパウチの底部区画に加えた。
【０１７６】
家庭用ケア組成物：
区画には、２０１６年４月から英国で販売されているＰｒｏｃｔｅｒ  ＆  Ｇａｍｂｌｅ  Ｃｏｍｐａｎｙ製のアリエールジェルボール３Ｄ（Ａｒｉｅｌ  ３−ｉｎ−１  Ｐｏｄｓ）として市販されている、代表的な液体多区画単位用量洗濯洗剤組成物を充填した。
【０１７７】
水溶性フィルム：
２つの異なる水溶性フィルムを、表Ａに記載されるように試験した。各フィルムは、ＰＶＯＨ樹脂ブレンドを含み、このブレンドは、以下に記載されるように、アニオン性ＰＶＯＨコポリマー及びＰＶＯＨホモポリマーを含んだ。フィルムは、可塑剤などのフィルム添加剤を更に含んだ。「４％粘度」は、本明細書に記載されるように測定され、ポリマー分子量に関する。「ＤＨ」は、本明細書に記載されるような加水分解度を指す。
【０１７８】
【表１】
2019513643.tif 000007
＊アクリルアミドメチルプロパンスルホン酸（ナトリウム塩）のコモノマー
【０１７９】
試験結果：
フィルム１及びフィルム２から製造されたパウチのパウチ強度を、次の間隔で試験した。（ａ）製造後１時間（４０〜５０％  ＲＨの間、及び２２〜２４℃の間で保管されたフレッシュな値）、（ｂ）４週間２０℃で保管後（４０〜５０％  ＲＨ）、及び（ｃ）４週間３２℃で保管後（８０％  ＲＨ）。表Ｂは、各条件下での平均パウチ強度を示す。表Ｃは、４週間３２℃（８０％  ＲＨ）で保管後、２００Ｎ未満のパウチ強度を示すパウチの相対的な割合を示す（２００Ｎ未満のパウチ強度は、失敗と考えられる）。
【０１８０】
【表２】
2019513643.tif 000008
【０１８１】
【表３】
2019513643.tif 000009
【０１８２】
このデータは、ＰＶＯＨ樹脂ブレンド中にカルボキシル化アニオン性ＰＶＯＨコポリマーを含むフィルム１から製造されたパウチは、ＰＶＯＨ樹脂ブレンド中にスルホン化アニオン性ＰＶＯＨコポリマーを含むフィルム２（比較フィルム）から製造されたパウチと比較して、経年劣化時のパウチ強度をより良好に維持することを示す。例えば、フィルム１から製造されたパウチは、欠陥のないパウチであり、２００Ｎの経年劣化時のパウチ強度閾値は、典型的な市販のパウチの露出条件下で、パウチ完全性を維持するために設定される。
【０１８３】
上記のとおり、カルボキシル化及びスルホン化含有フィルムを備えたパウチは、底部区画の深さが異なっていた。しかし、特に、理論に束縛されることを望むものではないが、フィルム変形が少なく、したがって、パウチ製造プロセス中に発生する膜減りが少ないため、スルホン酸系フィルム（例えば、比較フィルム２）から製造されたパウチは、より強度が高いパウチが期待された。したがって、示された２つの異なるアニオン化学種間のパウチ強度の差は、同じ空洞深さが選択された場合、より大きくなると考えられている。
【０１８４】
実施例２−サンプル樹脂ブレンド、並びにそれから製造されたフィルム及びパウチ。
表１は、ＰＶＯＨフィルムの製造に使用され得る幾つかの例示のＰＶＯＨポリマー樹脂（Ａ〜Ｊ）を示す。
【０１８５】
【表４】
2019513643.tif 000010
＊ナトリウム塩
【０１８６】
表２は、表１に記載のポリマーから製造され得る様々なＰＶＯＨポリマーブレンド（＃１〜２０）を示す。ブレンドは、各ＰＶＯＨブレンド中の各ポリマーの相対重量％によって列挙される。ＰＶＯＨ樹脂ブレンドは、他のフィルム添加剤（可塑剤など）と共に使用して、水溶性フィルムを製造することができる。このようなフィルムを使用して、洗濯洗剤などの家庭用ケア組成物を収容するパウチを形成することができる。パウチは、単一区画又は多区画パウチであってよい。
【０１８７】
【表５】
2019513643.tif 000011
【０１８８】
実施例３−家庭用ケア組成物を収容するパウチ。
単一区画パウチ及び／又は多区画パウチは、実施例２に記載されているフィルム（例えば、ＰＶＯＨブレンド１〜２０のいずれかを含むフィルム）のうちのいずれから形成されてもよい。パウチは、以下の配合に従った家庭用ケア組成物を収容してもよい。
【０１８９】
漂白剤添加剤組成物は、表３に示される成分を含むことができる。
【０１９０】
【表６】
2019513643.tif 000012
１テトラアセチルエチレンジアミン
【０１９１】
粒状洗濯洗剤は、表４に示される成分を含むことができる。
【０１９２】
【表７】
2019513643.tif 000013
【０１９３】
液体洗濯洗剤は、表５に示される成分を含むことができる。
【０１９４】
【表８】
2019513643.tif 000014
１  また、好ましいＬＡＳは、直鎖構造中に約９〜約１５個の炭素原子を含むアルキル基を含む。
【０１９５】
洗剤は、表６に示される配合物を含むことができる。
【０１９６】
【表９】
2019513643.tif 000015
【０１９７】
この家庭用ケア組成物は、表７に示される配合物のいずれかを含むことができる。
【０１９８】
【表１０】
2019513643.tif 000016
１  ジ（アシルオキシエチル）（２−ヒドロキシエチル）メチルアンモニウムメチルサルフェートであって、アシル基は部分的に水素添加されたカノーラ脂肪酸から誘導される。
２  部分的に水素添加されたカノーラ脂肪酸。
３  ２，２，４−トリメチル−１，３−ペンタンジオール
４  ＰＥＧ  ６コカミド−ヤシ脂肪酸のポリエチレングリコールアミド。
５  ヒドロキシエタンジホスホン酸のナトリウム塩
６  供給元により柔軟活性物質に含まれる物質。
【０１９９】
多区画パウチは複数の有益剤を収容することができる。非限定的な例として、２成分又は３成分パウチは、表８に示される配合物を別個の密閉空間の中に収容することができ、用量は各密閉空間内の配合物の量である。
【０２００】
【表１１】
2019513643.tif 000017
１  米国特許第７１６９７４４号に記載されるような硫酸モノ−［２−（３，４−ジヒドロ−イソキノリン−２−イル）−１−（２−エチル−ヘキシルオキシメチル）−エチル］エステル
２  ＰＡＰ＝フタロイル−アミノ−ペルオキシカプロン酸、７０％活性湿潤ケーキとして
３  −ＮＨ１個当たり２０個のエトキシレート基を有するポリエチレンイミン（ＭＷ＝６００）。
４  エトキシル化チオフェン、ＥＯ（Ｒ１＋Ｒ２）＝５
５  ＲＡ＝予備アルカリ度（ＮａＯＨのｇ／用量）
【０２０１】
多成分パウチの別の実施形態では、各密閉空間は液体及び固体の有益剤で充填することができる。１つの密閉空間は液体で充填され、１つの密閉空間は固体で充填されている２区画パウチの非限定的な例は、表９Ａ及び表９Ｂに示される配合物の組み合わせを含む。
【０２０２】
【表１２】
2019513643.tif 000018
１．Ｃ１１〜１３直鎖アルキルベンゼンスルホン酸
２．（ビス（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）、式中、ｎは１５〜３０、ｘは３〜８である。
３．ランダムグラフトコポリマーは、ポリエチレンオキシド主鎖及び多数のポリビニルアセテート側鎖を有する、ポリビニルアセテートグラフトポリエチレンオキシドコポリマーである。ポリエチレンオキシド主鎖の分子量は、約６０００であり、ポリエチレンオキシドとポリビニルアセテートとの重量比は、約４０〜６０であり、５０エチレンオキシド単位当たり１グラフト点を超えない。
【０２０３】
【表１３】
2019513643.tif 000019
【０２０４】
専門家によって使用され得る硬質表面洗浄組成物は、表１０に提示された配合物を含むことができる。
【０２０５】
【表１４】
2019513643.tif 000020
【０２０６】
本明細書に開示した寸法及び値は、記載された正確な数値に厳密に限定されるものと理解されるべきではない。むしろ、特に指定がない限り、そのような各寸法は、記載された値及びその値の周辺の機能的に同等の範囲の両方を意味することを意図している。例えば「４０ｍｍ」として開示される寸法は、「約４０ｍｍ」を意味するものとする。
【０２０７】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用をも、本明細書中で開示又は特許請求される任意の発明に対する先行技術であるとはみなされず、あるいはそれを単独で又は他の任意の参考文献（１つ又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【０２０８】
以上、本開示の特定の実施形態について図示、説明したが、本開示の趣旨及び範囲から逸脱することなく他の様々な変更及び改変が可能である点は当業者には明白であろう。したがって、本開示の範囲内に属する全てのこのような変更及び修正は、添付の特許請求の範囲に網羅するものとする。
【図１】
2019513643.tif 000021
【図２】
2019513643.tif 000022
【図３】
2019513643.tif 000023
【国際調査報告】
2019513643.tif 000024
2019513643.tif 000025
2019513643.tif 000026